(57)【要約】【課題】  持運びができて、ボタンを押すだけで電気の消費機器を使用することができる水槽内装置を組み込んだ水力管発電装置及を提供するものである。【解決手段】  ボックス前部に、第１収納庫に操作盤を設けたインバーターを備え、横に隣接してコンバーターを備え、操作盤に電源スイッチ、充電スイッチ、電源用コンセントを設け、第２収納庫に電動ポンプを設置し、吸込み口と吐出し口をボックス後部の水槽に接続し、第３収納庫に駆動ポンプを設置し、吸込み口と吐出し口をボックス後部の水槽に接続し、第４収納庫にオルタネーターを備え、装備されているＶプーリーを、駆動ポンプに装備されているＶプーリーとをＶベルトで連動するよう装着し、第５収納庫にバッテリーを備えてなり、後部に水槽を備え、水槽内装置、給水口、コの字状の水圧管、排水口を設けて構成した。これにより燃料費が掛からず騒音を押さえることができ、場所を取らずに何処でも設置することができる。【選択図】図２
2016211528.tif 000002
【特許請求の範囲】
【請求項１】
ケースを装備えたボックスを設け、前部に収納庫、後部に隔壁を設けて水槽を備えてなり、前部は、第１収納庫に操作盤を設けたインバーターを備え、横に隣接してコンバーターを備え、操作盤に電源スイッチ、充電点灯ランプ、電源コンセント、外部電源スイッチを設け、第２収納庫に電動ポンプを備え、吸込み口と吐出し口をボックス後部の水槽に接続し、第３収納庫に駆動ポンプを備え、吸込み口と吐出し口をボックス後部の水槽に接続し、第４収納庫にオルタネーターを備え、装備されているＶプーリーを、駆動ポンプに装備されているＶプーリーとをＶベルトで連動するよう装着し、第５収納庫にバッテリーを備えてなり、後部に水槽を備え、水槽内装置、水槽給水口、水量計、水槽排水口を設けて連結し可動することを特徴とする水圧管発電装置。
【請求項２】
水槽内装置は、水槽の隔壁の下部に給水口を設け、この上に隣接してコの字状の水圧管を下端部と上端部で斜めにして取付け、上部の水圧管の下に隣接し排水口を配設してなり、下部に設けた給水口は、給水管を隔壁を介して配設しボックス前部に備えた電動ポンプの吸込み口に接続し、水圧管の下端部は、隔壁を介して電動ポンプの吐出し口に接続し、また、水圧管の上端部は、隔壁を介して延長しボックス前部に備えた駆動ポンプの回転を、逆転させるため吐出し口に吸込ませるよう接続し、また、水圧管上部の下に設けた排水口は、排水管を隔壁を介して配設し、駆動ポンプの吸込み口に吐出し口を接続し、給水口から吸い込まれた水を排水口から水槽に戻すよう連結し配備してなる請求項１記載の水圧管発電装置。
【請求項３】
水槽内装置は、水槽の隔壁の下部に給水口を設け、給水管を水槽の隔壁を介してボックス前部に備えた電動ポンプの吸込み口に接続し、吐出し口を、水槽の外部に隔壁を沿って水圧管の下端部と接続し、また、水槽の外の隔壁に沿った水圧管の上端部を、ボックスの前部に備えた駆動ポンプの回転を逆転させるため、吐出し口に吸込ませるよう接続し、また、水槽内の隔壁の上部に設けた排水口は、排水管を水槽の隔壁を介して配設し駆動ポンプの吸込み口に吐出すよう接続し、給水口から吸込まれた水を排水口から水槽に戻すよう連結し配備してなる請求項１又は請求項２に記載の水圧管発電装置。
【発明の詳細な説明】
【技術分野】
【０００１】  本発明は、持運びができ燃料が要らなくて騒音がしない水圧管発電装置に関するものである。
【背景技術】
【０００２】  小規模発電機は、用水路、小河川等、様々な水流を利用して発電を行っているのが公知であるが、水の流れている場所に限界ある。【０００３】  携帯用発電機では電力が弱い。【０００４】  従来の持運びの出来る発電機は、一般に燃料を使用した発動式のものであって騒音がしてうるさいものである。【０００５】  このため、発動式発電機は燃料を使用するため、経済的にも負担が大きい。
【先行技術文献】
【非特許文献】
【０００６】
【非特許文献１】  家庭向け「小水力発電機」開発／ｗｅｂ東奥・ニュース２０１３０９２２１４０１０４
【発明の概要】
【発明が解決しようとする課題】
【０００７】  そこで、本発明はこのような問題点を解決するものであって、どの場所でも発電を行うことができ、また、燃料費がかからないで騒音を出さない水圧管発電装置を提供することを課題とする。
【課題を解決するための手段】
【０００８】  前記問題点を解決するために、本発明の請求項１に記載の発明の水圧管発電装置は、ケースを装備したボックスを設け、前部に収納庫、後部に隔壁を設けて水槽を備えてなり、前部は、第１収納庫に操作盤を設けたインバーターを備え、横に隣接してコンバーターを備え、操作盤に電源スイッチ、充電点灯ランプ、電源コンセント、外部電源スイッチを設け、第２収納庫に電動ポンプを備え、吸込み口と吐出し口をボックス後部の水槽に接続し、第３収納庫に駆動ポンプを備え、吸込み口と吐出し口をボックス後部の水槽に接続し、第４収納庫にオルタネーターを備え、装備されているＶプーリーを、駆動ポンプに装備されているＶプーリーとをＶベルトで連動するよう装着し、第５収納庫にバッテリーを備えてなり、後部に水槽を備え、水槽内装置、水槽給水口、水量計、水槽排水口を設けて連結し可動することを特徴とするものである。【０００９】  また、本発明の請求項２に記載の発明の水圧管発電装置は、請求項１に記載の水圧管発電装置において、水槽内装置は、水槽内の隔壁の下部に給水口を設け、この上に隣接して、コの字状の水圧管を下端部と上端部で斜めにして取付け、上部の水圧管の下に隣接し水槽内に排水口を配設してなり、下部に設けた給水口は、給水管を隔壁を介して配設しボックス前部に備えた電動ポンプの吸込み口に接続し、水圧管の下端部は、隔壁を介して電動ポンプの吐出し口に接続し、また、水圧管の上端部を、隔壁を介して延長しボックス前面に備えた駆動ポンプの回転を逆転させるため、吐出し口に吸込まれるよう接続し、また、水圧管上部の下に設けた排水口は、排水管を隔壁を介して配設し、駆動ポンプの吸込み口に吐出すよう接続し、給水口から吸い込まれた水を水槽に戻すよう配設してなる構成である。【００１０】  水槽内装置は、水槽内の隔壁の下部に給水口を設け、給水管を水槽の隔壁を介してボックス前部に備えた電動ポンプの吸込み口に接続し、吐出し口を、水槽の外の隔壁に沿って水圧管の下端部と接続し、また、水槽の外の隔壁に沿った水圧管の上端部を、ボックス前部に備えた駆動ポンプの回転を逆転させるため、吐出し口に吸い込ませるよう接続し、また、水槽内の隔壁の上部に設けた排水口は排水管を水槽の隔壁を介して配設し駆動ポンプの吸込み口に吐出すよう接続し、給水口から吸込まれた水を水槽に吐出すよう連結し配備してなる請求項１又は請求項２に記載の水圧管発電装置。
【発明の効果】
【００１１】  以上の説明から明らかなように本発明に係る水圧管発電装置では、ボックスを設け、その前部に、操作盤を備えたインバーターを設置し、電動ポンプ、駆動ポンプ、オルタネーター、バッテリーを備え、後部に、水槽内装置を備えた水槽を設置し、給水口、コの字状の水圧管、排水口を設けスイッチボタンを押すだけで、電気の消費機器を使用することができる。【００１２】  また、水圧管発電装置では、ボックスの後部に設置した水槽の中の水を抜いて空にすることで、どこの場所でも簡単に移動ができ使用することができる。【００１３】  また、水圧管発電装置で発電することで、燃料費がかからないで経済的にも助かり、また、騒音を出さないため環境の保全にも優れたものがある。
【図面の簡単な説明】
【００１４】
【図１】  本発明の実施例における水圧管発電装置の正面図である。
【図２】  同水圧管発電装置の一部省略正面説明図である。
【図３】  同水圧管発電装置の後方から見た水槽内装置図である。
【図４】  同水圧管発電装置の一部省略左側面図である。
【図５】  同水圧管発電装置の一部省略右側面図である。
【図６】  同水圧管発電装置の一部省略上部平面図である。
【図７】  同水圧管発電装置の一部省略中部平面図である。
【図８】  同水圧管発電装置の一部省略下部平面図である。
【図９】  同水圧管発電装置の電気回路図である。
【発明を実施するための形態】
【００１５】  以下、本発明の実施の形態における水圧管発電装置を図面に基ずいて説明する。
【実施例】
【００１６】  本発明に係る水圧管発電装置図１は、図１、図２及び図３に示すように、主に、ボックス７の前部に、インバーター１８、電動ポンプ２０、駆動ポンプ２６、発電を可能にするオルターネーター３０、蓄電するバッテリー３２を配備。後部に、水槽８を設けて水槽内装置１２をそれぞれ配設し、これにケース２を装備してなるものである。【００１７】  ケース２は、図１、図２、及び図３に示すように、正面の左上に操作盤４の開口部３ａを設け、左と右上に換気口３を設け、右上の後部に水槽給水口９、左側面の後部中央に水量計１１、その下に水槽排水口１０にそれぞれ開口部３ａを設け、左右側面の上部に取手部２ａを取付け、ボックス７前後の取付け金具７ｂに、ケース２を被せナット２ｂで締付けている。【００１８】  ボックス７は、図２、図４に示すように、略長方形状から構成されており、また、図５に示すように、ボックス７の略中央に隔壁７ａを設け前部と後部で略長方形状にそれぞれ区画されている。【００１９】  この、ボックス７の前部は、図２が示すように、左上に第１収納庫１６を設けてインバーター１７備え、右横に隣接してコンバーター１８を備え、左下に第２収納庫１９を設けて電動ポンプ２０を設置し、右上に第３収納庫２５を設け駆動ポンプ２６を設置し、左中央に第４収納庫２９を設けてオルタネーター３０を備え、また、右下に第５収納庫３１を設けてバッテリー３２を備え、底面の４端部にゴムの足部７ｃを取付けてなる。【００２０】  第１収納庫１６に備えたインバーター１７は、図１、図２に示すように、前面に操作盤が設けられ電源スイッチ５、電源コンセント５ａ、充電点灯ランプ、外部電源スイッチ６をそれぞれ配備し、また、ボックス７の左側面の下に外部から電気を取り入れる際の外部電源プラグ６ａをそれぞれ配備し、また、ＤＣ直流電力からＡＣ交流電力に変換し、消費機器の電力を定格出力１５００Ｗを引出せるものを備えたものである。また、横に隣接し配備したコンバーター１８はＡＣ交流からＤＣ直流に変換する機能を持った装置のものである。【００２１】  第２収納庫１９の電動ポンプ２０は、図２、図４、及び図８に示すように、バンド板２２をネジ２１で締め床板に固着し、ＡＣ交流の定額消費量３００Ｗの電力源で回転するものを備え、また、水の吸込み口２０ａと吐出し口２０ｂの口径３０ｍｍを設けている。【００２２】  第３収納庫２５の駆動ポンプ２６は、図２、図４に示すように、水の吸込み口２６ａと吐出し口２６ｂを逆にし逆転させ、また、水圧を増すために水を送り込む電動ポンプ２０に無理の行かない程度の、吸込み口２０ａと吐出し口２０ｂ口径のものを２５ｍｍに小さくし水を送りプーリ−２７の回転を次のオルタネーター３０の右回転に対応し備えている。【００２３】  第４収納庫２９のオルタネーター３０は、蓄電されるバッテリー容量１２０Ａｈに対応しＶベルト２７ａによってプーリー２７を連動させ発電されるものである。第５収納庫３１に備えたバッテリー３２は、ＤＣ直流の１２Ｖで容量１２０Ａｈで発電された電気を蓄電するよう備えそれぞれ連結し配備している。【００２４】  水槽内装置１２は、図３、図４及び図８が示すように、水槽８内隔壁７ａの右下に、口径３０ｍｍの給水口１３を設け、給水管２３を隔壁７ａを介してボックス７の前部に設けた、第２収納庫１９の電動ポンプ２０口径３０ｍｍの吸込み口２０ａに接続している。給水口１３の上に、コの字状の水圧管１４口径３０ｍｍの下端部を隔壁７ａを介して取付け、電動ポンプ２０の吐出し口２０ｂ口径３０ｍｍに接続している。【００２５】  さらに、図３、図５及び６に示すように、この水圧管１４の上端部は、左上部の隔壁７ａを介して水圧を増すため水を送り込む電動ポンプ２０に無理の行かない程度の口径２５ｍｍに小さくし、また、水圧に耐えるよう管の肉厚を厚くし接続している。ボックス７の前部に設けた、第３収納庫２５の駆動ポンプ２６は回転を逆転させるため、吐出し口を逆の吸込み口２６ａ口径２５ｍｍに接続し水を吸込ませている。また、排水口１５には、上部の水圧管１４の下に設け排水管２８口径２５ｍｍを隔壁７ａを介して、駆動ポンプ２６の回転を逆転させるため吸込み口を逆の吐出し口２６ｂ口径２５ｍｍに連接し水を水槽８に排出して戻すよう連設してなる。【００２６】  また、水槽８内の隔壁７ａに設けた水槽内装置１２の水圧管１４を、水槽８外部に出し下端部を電動ポンプ２０の吐出し口２０ｂの口径３０ｍｍに接続し、水圧管１４の上端部を水槽外部の隔壁に沿って駆動ポンプ２６の吸込み口の口径２５ｍｍに小さくし連接し、水圧管１４内の水を水圧を増して送るよう配設してもよい。また、水槽内装置と各機材は一律に大きなものに変えても良い。【００２７】  以上記載の、インバーター１７、コンバーター１８、電動ポンプ２０、駆動ポンプ２６、オルタネーター３０、バッテリー３２は従来のものであり、水圧管発電装置１に一部分の部品として使用し可動させたものである。【００２８】  このようにして構成される水圧管発電装置１は、図４、図５に示すように、ボックス７の後部の水槽８に水槽給水口９から１５０リットル程の水で水槽８一杯になるよう給水をし空気抜きの穴のある蓋９ａをする。また、最初はバッテリー３２からの始動となるため充電して備える。【００２９】  図１、図２に示すように、まず、操作盤４の電源スイッチ５の押しボタンを押す、このとき、ボタンの頭の点灯ランプが点灯し、電源コンセント５ａに電気が来て放電される状態となり、使用する消費機器のプラグを電源コンセント５ａに差し込み放電し始める。このとき、蓄電していたバッテリー３２の電気をインバーター１７を介して使用するため、容量が減り始めることで操作盤４に備えている充電点灯ランプ５ｂが点灯する。【００３０】  同時に、図３、図４及び図８が示すように、バッテリー３２の電気をインバーター１７を介して電動ポンプ２０に送電され回転を始めるとともに、電動ポンプ２０の吸込み口２０ａ口径３０ｍｍに接続している給水管２３に、後部の水槽２３の隔壁７ａを介して接続した水槽内装置１２の給水口１３から、水槽８内の水が吸込まれる。つぎに、電動ポンプ２０に吸い込まれた水は、吐出し口２０ｂから後部の水槽８の隔壁７ａを介して連接した水槽内装置１２のコの字状の水圧管１４の下端部に吐出される。【００３１】  さらに、口径３０ｍｍの水圧管１４に吐出された水は、図３、図５及び図６に示すように、水槽８の隔壁７ａ左上に設けたコの���状の水圧管１４の上端部を、水槽８の隔壁７ａを介して口径２５ｍｍに細めて水圧を強めた水となり、第３収納庫２５に備えた駆動ポンプ２６の回転を逆回転させ、吐出し口に口径２５ｍｍの吸込み口２６ａを接続し、そこに、圧力のある水を送りこむ。この水は駆動ポンプ２６内の羽根車を回転させ、吸込み口に吐出し口２６ｂを継手２４で接続した排水管２８に流し込み、隔壁７ａを介して水槽８内に備えた水槽内装置１２の排水口１５から排水し水槽８に水を戻している。【００３２】  このとき、図２、図５及び図７に示すように、駆動ポンプ２６の吸込み口２６ａに圧力のある水を送込み羽根車を回転させた軸は、駆動ポンプ２６の前面のＶプーリー２７を回転させ、さらに、連携している第４収納庫２９のオルタネーター３０のプーリー２７を回転させる。また、オルタネーター３０の回転数を増すため、駆動ポンプ２６のプーリー２７の径を少し大きくしオルタネーター３０のプーリー２７とをＶベルト２７ａによって連動し回転させ発電をしている。また、第４収納庫２９に備えたオルタネー３０は発電をし充電するバッテリー３２の容量１２０ＡｈでＤＣ直流の１２Ｖに対応のものである。【００３３】  発電された電気はＡＣ１００Ｖの交流で、図２に示すように、バッテリー３２に充電するため、一旦、ＡＣ１００Ｖの交流からコンバーター１８によってＤＣ直流の１２Ｖに電源変換し、さらに、安定した電源を可能にしＤＣ直流１２Ｖのバッテリー３２容量１２０Ａｈに充電される。つぎに、第１収納庫１６に備えた定額出力１５００Ｗのインバーター１７に送電され、ここで再度、ＡＣ交流の１００Ｖに変換され電動ポンプ２０及び電源コンセント５ａに送電し消費機器によって放電される。【００３４】  このとき、すでに発電のため定格消費電力３００Ｗの電動ポンプ２０を使用し放電されているため、インバーター１７の定格出力１５００Ｗから電動ポンプ２０の定格消費電力３００Ｗを差し引いた１２００Ｗの電力を発電しながら消費機器に放電することができる。また、そこでバッテリー３２が満充電になればオルタネーター３０によって自動的に発電を止め自動充電スイッチｄが切られる。そのとき、操作盤４の充電点灯ランプ５ｂが消えるとともに、自動充電スイッチ５ｄとインバーター１７を介して連携している自動電動ポンプスイッチ５ｃも切られ可動を停止し、水槽内装置１２を介して連携している駆動ポンプ２６及びオルタネーター３０の回転が停止する。【００３５】  また、消費機器の放電が続き、バッテリー３２の容量が少なくなると、再度、オルタネーター３０の発電が復旧し自動充電スイッチ５ｄ及び連携している自動電動スイッチ５ｃが入り操作盤４の充電点灯ランプ５ｂが点灯する。さらに、充電されたバッテリー３２からインバーター１７を介して電動ポンプ２０にＡＣ交流の電気を送電し可動させる。以下、前記歳の通り、繰り返しながら発電をする。また、消費機器が電気を必要としなくなると、電源スイッチ５の押しボタンを、再度、押すことでボタンが戻り、全ての電源が遮断されボタンの点灯ランプ及び充電点灯ランプ５ｂが消え、電源コンセント５ａから消費機器のプラグを抜き完了する。【００３６】  また、消費機器が電気を必要としなくなったとき、先に電源コンセント５ａから消費機器のプラグを抜き取り、バッテリーが満充電になりオルタネーター３０の自動充電スイッチ５ｃが切れ発電を止めて充電点灯ランプ５ｂが消えた後、電源スイッチ５の押しボタンを、再度、押すことでボタンが戻り点灯ランプが消え完了させることもできる。【００３７】  また、インバーター１７は、放電による過負荷時１５００Ｗを超える消費機器を使用すると警告のため自動的に電源を遮断し、操作盤４の電源スイッチ５の押しボタンが自動的に戻り点灯ランプ及び充電点灯ランプ５ｂが消える。さらに、発電のためインバーター１７から第２収納庫１９の電動ポンプ２０に送電され可動していた電気も遮断され、オルタネーター３０の回転も止まることから、定格出力１５００Ｗを超えない消費機器を使用することで解消される。【００３８】  図１、図２が示すように、水圧管発電装置１の発電機は、最初はバッテリー３２からの電気で始動するため、常に使用していれば絶えず発電され充電しているが、長期間放置しているとバッテリーが３２上がり、外部からの充電が必要になることがある。このことから、ボックス７の左側面の下に備えた、外部電源プラグ６ａを外部からの電気に接続し、操作盤４の電源スイッチ５と外部電源スイッチ６の両ボタンを押すことで外部用電源が流れ外部電源スイッチ６のボタンの点灯ランプ、及び充電点灯ランプ５ｂが点灯し、以下、バッテリー３２からの電源と同様にインバーター１７を介して、電動ポンプ２０に電気を送り可動させ、以下、前記歳の通り発電を始めてバッテリー３２に充電される。【００３９】  このとき、バッテリー３２に最低限の使用容量に充電されると、インバーター１７に内蔵した自動切替スイッチ５ｅが復旧し切り替えられ、外部電源スイッチ６を切り押していた外部電源スッチ６の押しボタンが自動的に戻り、点灯ランプが消えバッテリー３２からの電源に戻る。そこで外部からの電源を接続していた外部電源プラグ６ａを外し、外部からの充電を完了させる。【００４０】  以上、説明した本発明に係る水圧管発電装置１によれば、水槽８の水槽内装置１２を組み込むことで、電源スイッチ５のボタンを押すだけで発電をしながら、定格出力１５００Ｗまでの消費機器のものを使用することができる。さらに、発電をし充電しながら消費機器を使用して、バッテリー３２が満充電になればオルタネーター３０が自動的に発電を止め充電点灯ランプ５ｂを消す。また、消費機器からの放電が続きバッテリー３２の容量１２０Ａｈ以下に下がり始めると、再び、電動ポンプ２０が可動し充電点灯ランプを点灯してオルタネーター３０が発電し充電を始める。以下、発電を復旧しながら可動するため、バッテリーの電気はいつも十分である。また、消費機器の定格消費電力１５００Ｗ以上のものを使用すると、電源スイッチ５の押しボタンが戻りボタンの点灯ランプが消え自動的に電源を遮断することから、安全面からも危険を解消することができる。
【符号の説明】
【００４１】１      水圧管発電装置
２      ケース
２ａ    取手部
２ｂ    ナット
３      換気口
３ａ    開口部
４      操作盤
５      電源スイッチ
５ａ    電源コンセント
５ｂ    充電点灯ランプ
５ｃ    自動電動ポンプスイッチ
５ｄ    自動充電スイッチ
５ｅ    自動切替スイッチ
６      外部電源スイッチ
６ａ    外部電源プラグ
７      ボックス
７ａ    隔壁
７ｂ    取付け金具
７ｃ    足部
８      水槽
９      水槽給水口
９ａ    蓋
１０    水槽排水口
１１    水量計
１２    水槽内装置
１３    給水口
１４    水圧管
１５    排水口
１６    第１収納庫
１７    インバーター
１８    コンバーター
１９    第２収納庫
２０    電動ポンプ
２０ａ  吸込み口
２０ｂ  吐出し口
２１    ネジ
２２    バンド板
２３    給水管
２４    継手
２５    第３収納庫
２６    駆動ポンプ
２６ａ  吸込み口
２６ｂ  吐出し口
２７    Ｖプーリー
２７ａ  Ｖベルト
２８    排水口
２９    第４収納庫
３０    オルタネーター
３１    第５収納庫
３２    バッテリー
【図１】
2016211528.tif 000003
【図２】
2016211528.tif 000004
【図３】
2016211528.tif 000005
【図４】
2016211528.tif 000006
【図５】
2016211528.tif 000007
【図６】
2016211528.tif 000008
【図７】
2016211528.tif 000009
【図８】
2016211528.tif 000010
【図９】
2016211528.tif 000011
【手続補正書】
【提出日】平成27年11月10日(2015.11.10)
【手続補正１】
【補正対象書類名】明細書
【補正対象項目名】００３５
【補正方法】変更
【補正の内容】
【００３５】
また、消費機器の放電が続き、バッテリー３２の容量が少なくなると、バッテリー３２からインバーター１７を介して連携している自動電動ポンプスイッチ５ｃが入り操作盤４の充電点灯ランプ５ｂが点灯する。更に、充電されたバッテリー３２からインバーター１７を介して電動ポンプ２０ＡＣ交流の電気を送電し可動させる。以下、前記載の通り、繰り返しながら発電をする。また、消費機器が電気を必要としなくなると、電源スイッチ５の押しボタンを、再度押すことでボタンが戻り、全ての電源が遮断されボタンの点灯ランプ及び充電点灯ランプ５ｂが消え電源コンセント５ａから消費機器のプラグを抜き完了する。
【手続補正２】
【補正対象書類名】明細書
【補正対象項目名】０００８
【補正方法】変更
【補正の内容】
【０００８】
本発明は、インバーター、コンバーター、バッテリーに、駆動手段の、電動ポンプ、駆動ポンプ、オルタネーターを、ボックス前部の区画した収納庫に配備し、後部に、水槽を備えて水槽内装置を設け、これにケースを被せて装備し、ケースに、開口部、換気口を設け、左側面の下に、外部電源プラグを配備した水圧管発電装置において、水槽内装置は、水槽内隔壁の右下部に給水口、該給水口の上にコ字状の水圧管下端部、水圧管上端部を、水圧管下端部の口径より小さくし水槽内の中央部を斜めにして左上部に、排水口を水圧管上端部の下に、それぞれ隔壁を介して取り付けたものからなり、前記インバーターは、バッテリー対応の容量のものとし、インバーターの正面に操作盤を有し、電源スイッチ、充電点灯ランプ、外部電源スイッチを備え、その下に、電源コンセントを配備し、電源スイッチは、電動ポンプ及び電源コンセントへの送電用とし、充電点灯ランプは、電動ポンプの可動とともに点灯し、可動が停止すると消灯とし、外部電源スイッチは、ケース左側面の外部電源プラグからの電源を、切り替えてインバーターへと送電するよう配設したものとし、また、インバーターは、前記バッテリーからの直流の電力を、電圧・電流・周波数の可変の交流電力に変換する装置を内蔵し、必要な電力以外は余電力として使用し得る事が可能な装置を備え、また電力の放電による過負荷時を超える消費機器を使用すると、警告のため自動的に電源を遮断することから定額出力を超えない消費機器を使用することとした構造のもを備えてなり、前記電動ポンプは、吸込み口を、ボックス後部の、前記水槽内装置下部の給水口に接続させ、吐出し口を、水槽
内装置の水圧管下端部に接続して連通させ、電動ポンプの回転で給水口から吸込まれた水を、水圧管に吐出して送る構成とし、前記駆動ポンプは、吐出し口を、ボックス後部の水槽内装置の水圧管上端部に接続して連通させ、水圧管からの圧力ある水を送り込み駆動ポンプ内の羽根車を逆転させ回転を容易にし、駆動ポンプの吸込み口を、水槽内装置の水圧管上端部下の排水口に接続して連通させ、水を排水管を通して水槽内に送り出すよう配備するとともに、駆動ポンプ内の羽根車の回転を逆転させた該羽根車の軸は、駆動ポンプ前面のＶプーリーを回転させてなり、前記オルタネーターは、前記バッテリー対応のものとし、駆動ポンプのＶプーリーと、ボックス前面のオルタネーターのＶプーリーとを、Ｖベルトで連結連動させ、オルタネーターのＶプーリー軸の回転で発電し、発電した交流の電力を前記コンバーターに送電し、ここで、一旦直流の電力に変換し、バッテリーに送電するよう配備してなり、バッテリーの容量が満充電になると、オルタネーターが自動的に電力の送電を停止するとともに、自動充電スイッチと、インバーターを介して連携している、インバーターから電動ポンプに送電している自動電動ポンプスイッチが切られ、自動ポンプの可動が停止しオルタネーターの回転も停止する、また、インバーターからの放電によりバッテリーの容量が減少してくると、バッテリーからインバーターを介して連携している自動電動ポンプスイッチが入り、電動ポンプを可動させオルタネータが復旧し、自動充電スイッチが入り、電力をコンバーターへ送電し変換された直流の電力をバッテリーに送電する構成とし、電源スイッチを押すことで水槽内の水を循環させ発電することを特徴とする水圧管発電装置を、課題を解決するための手段とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正書】
【提出日】平成27年11月13日(2015.11.13)
【手続補正１】
【補正対象書類名】特許請求の範囲
【補正対象項目名】全文
【補正方法】変更
【補正の内容】
【特許請求の範囲】
【請求項１】
インバーター、コンバーター、バッテリーに、駆動手段の、電動ポンプ、駆動ポンプ、オルタネーターを、ボックス前部の区画した収納庫に配備し、後部に、水槽を備えて水槽内装置を設け、これにケースを被せて装備し、ケースに、開口部、換気口を設け、左側面の下に、外部電源プラグを配備した水圧管発電装置において、
水槽内装置は、水槽内隔壁の右下部に給水口、該給水口の上にコ字状の水圧管下端部、水圧管上端部を、水圧管下端部の口径より小さくし水槽内の中央部を斜めにして左上部に、排水口を水圧管上端部の下に、それぞれ隔壁を介して取り付けたものからなり、
前記インバーターは、バッテリー対応の容量のものとし、インバーターの正面に操作盤を有し、電源スイッチ、充電点灯ランプ、外部電源スイッチを備え、その下に、電源コンセントを配備し、電源スイッチは、電動ポンプ及び電源コンセントへの送電用とし、充電点灯ランプは、電動ポンプの可動とともに点灯し、可動が停止すると消灯とし、外部電源スイッチは、ケース左側面の外部電源プラグからの電源を、切り替えてインバーターへと送電するよう配設したものとし、
また、インバーターは、前記バッテリーからの直流の電力を、電圧・電流・周波数の可変の交流電力に変換する装置を内蔵し、必要な電力以外は余電力として使用し得る事が可能な装置を備え、また電力の放電による過負荷時を超え
る消費機器を使用すると、警告のため自動的に電源を遮断することから定額出力を超えない消費機器を使用することとした構造のもを備えてなり、
前記電動ポンプは、吸込み口を、ボックス後部の、前記水槽内装置下部の給水口に接続させ、吐出し口を、水槽内装置の水圧管下端部に接続して連通させ、電動ポンプの回転で給水口から吸込まれた水を、水圧管に吐出して送る構成とし、
前記駆動ポンプは、吐出し口を、ボックス後部の水槽内装置の水圧管上端部に接続して連通させ、水圧管からの圧力ある水を送り込み駆動ポンプ内の羽根車を逆転させ回転を容易にし、駆動ポンプの吸込み口を、水槽内装置の水圧管上端部下の排水口に接続して連通させ、水を排水管を通して水槽内に送り出すよう配備するとともに、駆動ポンプ内の羽根車の回転を逆転させた該羽根車の軸は、駆動ポンプ前面のＶプーリーを回転させてなり、
前記オルタネーターは、前記バッテリー対応のものとし、駆動ポンプのＶプーリーと、ボックス前面のオルタネーターのＶプーリーとを、Ｖベルトで連結連動させ、オルタネーターのＶプーリー軸の回転で発電し、発電した交流の電力を前記コンバーターに送電し、ここで、一旦直流の電力に変換し、バッテリーに送電するよう配備してなり、
バッテリーの容量が満充電になると、オルタネーターが自動的に電力の送電を停止するとともに、自動充電スイッチと、インバーターを介して連携している、インバーターから電動ポンプに送電している自動電動ポンプスイッチが切られ、電動ポンプの可動が停止しオルタネーターの回転も停止する、また、インバーターからの放電によりバッテリーの容量が減少してくると、バッテリーからインバーターを介して連携している自動電動ポンプスイッチが入り、電動ポンプを可動させオルタネーターが復旧し、自動充電スイッチが入り、電力をコンバーターへ送電し変換された直流の電力をバッテリーに送電する構成とし、
電源スイッチを押すことで水槽内の水を循環させ発電することを特徴とする水圧管発電装置。
【手続補正２】
【補正対象書類名】明細書
【補正対象項目名】００３４
【補正方法】変更
【補正の内容】
【００３４】
インバーター１７は、バッテリー３２からの直流の電力を、電力・電流・周波数の可変の交流電力に変換する装置を備え、インバーター１７から交流の電力を電動ポンプ２０に送電し可動させ、必要な電力以外は余電力として利用し、またそこで、バッテリー３２が満充電になればオルタネーター３０によって自動的に発電を止め自動充電スイッチ５ｄが切られる。このとき、操作盤４の充電点灯ランプ５ｂが消えるとともに、自動充電スイッチ５ｄとインバーター１７を介して連携している自動電動ポンプスイッチ５ｃも切られ可動を停止し、水槽内装置１２を介して連携している駆動ポンプ２６及びオルタネーター３０の回転が停止する。
【手続補正書】
【提出日】平成27年11月16日(2015.11.16)
【手続補正１】
【補正対象書類名】明細書
【補正対象項目名】０００８
【補正方法】変更
【補正の内容】
【０００８】  本発明は、インバーター、コンバーター、バッテリーに、駆動手段の、電動ポンプ、駆動ポンプ、オルタネーターを、ボックス前部の区画した収納庫に配備し、後部に、水槽を備えて水槽内装置を設け、これにケースを被せて装備し、ケースに、開口部、換気口を設け、左側面の下に、外部電源プラグを配備した水圧管発電装置において、水槽内装置は、水槽内隔壁の右下部に給水口、該給水口の上にコ字状の水圧管下端部、水圧管上端部を、水圧管下端部の口径より小さくし水槽内の中央部を斜めにして左上部に、排水口を水圧管上端部の下に、それぞれ隔壁を介して取り付けたものからなり、前記インバーターは、バッテリー対応の容量のものとし、インバーターの正面に操作盤を有し、電源スイッチ、充電点灯ランプ、外部電源スイッチを備え、その下に、電源コンセントを配備し、電源スイッチは、電動ポンプ及び電源コンセントへの送電用とし、充電点灯ランプは、電動ポンプの可動とともに点灯し、可動が停止すると消灯とし、外部電源スイッチは、ケース左側面の外部電源プラグからの電源を、切り替えてインバーターへと送電するよう配設したものとし、また、インバーターは、前記バッテリーからの直流の電力を、電圧・電流・周波数の可変の交流電力に変換する装置を内蔵し、必要な電力以外は余電力として使用し得る事が可能な装置を備え、また電力の放電による過負荷時を超える消費機器を使用すると、警告のため自動的に電源を遮断することから定額出力を超えない消費機器を使用することとした構造のもを備えてなり、前記電動ポンプは、吸込み口を、ボックス後部の、前記水槽内装置下部の給水口に接続させ、吐出し口を、水槽内装置の水圧管下端部に接続して連通させ、電動ポンプの回転で給水口から吸込まれた水を、水圧管に吐出して送る構成とし、前記駆動ポンプは、吐出し口を、ボックス後部の水槽内装置の水圧管上端部に接続して連通させ、水圧管からの圧力ある水を送り込み駆動ポンプ内の羽根車を逆転させ回転を容易にし、駆動ポンプの吸込み口を、水槽内装置の水圧管上端部下の排水口に接続して連通させ、水を排水管を通して水槽内に送り出すよう配備するとともに、駆動ポンプ内の羽根車の回転を逆転させた該羽根車の軸は、駆動ポンプ前面のＶプーリーを回転させてなり、前記オルタネーターは、前記バッテリー対応のものとし、駆動ポンプのＶプーリーと、ボックス前面のオルタネーターのＶプーリーとを、Ｖベルトで連結連動させ、オルタネーターのＶプーリー軸の回転で発電し、発電した交流の電力を前記コンバーターに送電し、ここで、一旦直流の電力に変換し、バッテリーに送電するよう配備してなり、バッテリーの容量が満充電になると、オルタネーターが自動的に電力の送電を停止するとともに、自動充電スイッチと、インバーターを介して連携している、インバーターから電動ポンプに送電している自動電動ポンプスイッチが切られ、電動ポンプの可動が停止しオルタネーターの回転も停止する、また、インバーターからの放電によりバッテリーの容量が減少してくると、バッテリーからインバーターを介して連携している自動電動ポンプスイッチが入り、電動ポンプを可動させオルタネータが復旧し、自動充電スイッチが入り、電力をコンバ���ターへ送電し変換された直流の電力をバッテリーに送電する構成とし、電源スイッチを押すことで水槽内の水を循環させ発電することを特徴とする水圧管発電装置を、課題を解決するための手段とする。
【手続補正書】
【提出日】平成28年3月2日(2016.3.2)
【手続補正１】
【補正対象書類名】特許請求の範囲
【補正対象項目名】全文
【補正方法】変更
【補正の内容】
【特許請求の範囲】
【請求項１】
バッテリー、インバーター、コンバーターに、駆動手段の、電動ポンプ、駆動ポンプ、オルタネーターを、ボックス前部の区画した収納庫に配備し、後部に、水槽を備えて水槽内装置を設け、これにケースを被せて装備し、ケースに、開口部、換気口を設け、左側面の下に、外部電源プラグを配備した水圧管発電装置において、
水槽内装置は、水槽内隔壁の右下部に給水口、該給水口の上にコ字状の水圧管下端部口径：３０ｍｍ、水圧管上端部を、水槽内の中央部を斜めにして水圧管下端部の口径より小さくし左上部に、排水口の口径：２５ｍｍを水圧管上端部の下に、それぞれ隔壁を介して取り付けたものからなり、
前記バッテリーは、容量ＤＣ１２Ｖの１００Ａｈに予め充電して置き、動力源として前記インバーターと直結し、
インバーターは、バッテリーからの直流ＤＣ１２Ｖの電力を、電圧・電流・周波数の可変の交流ＡＣ１００Ｖの電力に変換する装置を内蔵し、電源電圧：ＤＣ１２Ｖ、出力電圧：ＡＣ１００Ｖ、定格出力：１５００Ｗ、瞬間最大出力：３０００Ｗ、出力波形：正弦波、出力周波数：５０ＨＺ／６０ＨＺ、回路保護：入力定電圧警報音、低電圧遮断、過温度遮断、短絡遮断、入力過電圧保護、入力逆接続保護機能など機能があり、
インバーターの正面に操作盤を有し、電源スイッチ、充電点灯ランプ、外部電源スイッチを備え、その下に、電源コンセントを配備し、電源スイッチは、電動ポンプ及び電源コンセントへの送電用とし、充電点灯ランプは、電動ポンプの可動とともに点灯し、可動が停止すると消灯とし、外部電源スイッチは、バッテリーが上がった際にケース左側面の外部電源プラグから、電源を切り替えて電動ポンプ及び電源コンセントに送電するよう配設したものとし、
必要な電力以外は余電力として使用し得る事を可能にして、また電力の放電による過負荷時を超える消費機器を使用すると、警告のため自動的に電源を遮断することから、定格出力を超えない消費機器を使用することとした構造のもを備えてなり、
前記電動ポンプは、定格消費電力：３００Ｗ、吐出し量（Ｌ／分）：１４０、吸込み口の口径：３０ｍｍを、ボックス後部の、前記水槽内装置下部の給水口に接続させ、吐出し口を、水槽内装置の水圧管下端部に接続して連通させ、電動ポンプの回転で給水口から吸込まれた水を、水圧管に吐出して送る構成とし、
前記駆動ポンプは、吐出し量（Ｌ／分）：１４０、回転速度（ｍｉｎ）：４６００、回転速度はオルタネーターの回転力で下がるが充分であり、吐出し口の口径：２５ｍｍを、ボックス後部の水槽内装置の水圧管上端部に接続して連通させ、水圧管からの圧力ある水を送り込み、駆動ポンプ内の羽根車を逆転させ回転を、オルタネータの右回転に対応し、また、回転を容易にし、駆動ポンプの吸込み口を、水槽内装置の水圧管上端部下の排水口に接続して連通させ、水を排水管を通して水槽内に送り出すよう配備するとともに、駆動ポンプ内の羽根車の回転を逆転させた該羽根車の軸は、駆動ポンプ前面のＶプーリーを回転させてなり、
前記オルタネーターは、前記バッテリー対応の容量出力：１００Ａとし、駆動ポンプのＶプーリーと、ボックス前面のオルタネーターのＶプーリーとをＶベルトで連結連動させ、オルタネーターのＶプーリー軸の回転で発電し、オルタネータ後部に内蔵されているレギュレーターで、オルタネーターの発生電圧を適正値に制御しバッテリーに適した電圧へと変圧を行い、発電した交流ＡＣ１００Ｖの電力を前記コンバーターへ送電し、
コンバータは、オルタネーターで発電した電力交流ＡＣ１００Ｖは、周波数、電圧、電流などが安定しないので、一旦直流ＤＣ１２Ｖの電力に変換してバッテリー直流ＤＣ１２Ｖの１００Ａｈに送電される構成とし、
オルタネーターの後部に内蔵してあるレギュレーターは、必要な電力以外の消費機器を使用しないで、バッテリーの容量が満充電になると電気が流れなくするとともに、オルタネーターとバッテリーの間に備えたコンバーターから、小型インバーターを介して交流ＡＣ１００Ｖに変換して連携している、インバーターから電動ポンプに送電している間に備えた、自動電動ポンプスイッチに電気が流れなくなり自動電動ポンプスイッチが切られ、電動ポンプの可動が停止し、駆動ボンプ、オルタネーターの回転も停止する、
また、インバーターからの消費機器の放電により、バッテリーからインバーターに電気が流れると、バッテリーからインバーターを介して連携している自動電動ポンプスイッチに電気が流れ自動電動ポンプスイッチが入り、インバーターと電動ポンプが接続され電動ポンプを可動させ、駆動ポンプ、オルタネーターが回転をして発電し交流ＡＣ１００Ｖの電力を、一旦、コンバーターへ送電し、直流ＤＣ１２Ｖの電力に変換してバッテリーに充電する構成とし、
電源スイッチを押すことで水槽内の水を循環させ発電することを特徴とする水圧管発電装置。
【手続補正２】
【補正対象書類名】明細書
【補正対象項目名】０００８
【補正方法】変更
【補正の内容】
【０００８】
本発明は、バッテリー、インバーター、コンバーターに、駆動手段の、電動ポンプ、駆動ポンプ、オルタネーターを、ボックス前部の区画した収納庫に配備し、後部に、水槽を備えて水槽内装置を設け、これにケースを被せて装備し、ケースに、開口部、換気口を設け、左側面の下に、外部電源プラグを配備した水圧管発電装置において、
水槽内装置は、水槽内隔壁の右下部に給水口、該給水口の上にコ字状の水圧管下端部口径：３０ｍｍ、水圧管上端部を、水圧管下端部の口径より小さくし水槽内の中央部を斜めにして左上部に、排水口の口径：２５ｍｍを水圧管上端部の下に、それぞれ隔壁を介して取り付けたものからなり、前記、バッテリーは、容量ＤＣ１２Ｖの１００Ａｈに予め充電して置き、動力源として前記インバーターと直結しインバーターは、バッテリーからの直流ＤＣ１２Ｖの電力を、電圧・電流・周波数の可変の交流ＡＣ１００Ｖの電力に変換する装置を内蔵し、電源電圧：ＤＣ１２Ｖ、出力電圧：１００Ｖ、定格出力：１５００Ｗ，瞬間最大出力：３０００Ｗ，出力波形：正弦波、出力周波数：５０ＨＺ／６０ＨＺ、回路の保護：入力定電圧警報音、低電圧遮断、過温度遮断、短絡遮断、入力過電圧保護、入力逆接続保護機能など機能があり、インバーターの正面に操作盤を有し、電源スイッチ、充電点灯ランプ、外部電源スイッチを備え、その下に、電源コンセントを配備し、電源スイッチは、電動ポンプ及び電源コンセントへの送電用とし、充電点灯ランプは、電動ポンプの可動とともに点灯し、可動が停止すると消灯とし、外部電源スイッチは、バッテリーが上がった際にケース左側面の外部電源プラグからの電源に、切り替えて電動ポンプ、及び電源コンセントへ送電するよう配設したものとし、必要な電力以外は余電力として使用し得る事を可能にして、また電力の放電による過負荷時を超える消費機器を使用すると、警告のため自動的に電源を遮断することから定額出力を超えない消費機器を使用することとした構造のものを備えてなり、前記電動ポンプは、定格消費電力：３００Ｗ、吐出し量（Ｌ／分）：１４０、
吸込み口の口径：３０ｍｍを、ボックス後部の、前記水槽内装置下部の給水口に接続させ、吐出し口を、水槽内装置の水圧管下端部に接続して連通させ、電動ポンプの回転で給水口から吸込まれた水を、水圧管に吐出して送る構成とし、前記駆動ポンプは、吐出し量（Ｌ／分）：１４０、回転速度（ｍｉｎ）：４６００、回転速度はオルタネーターの回転力で下がるが充分である、吐出し口の口径：２５ｍｍを、ボックス後部の水槽内装置の水圧管上端部に接続して連通させ、水圧管からの圧力ある水を送り込み、駆動ポンプ内の羽根車を逆転させ回転をオルタネーターの右回転に対応し、また、回転を容易にし、駆動ポンプの吸込み口を、水槽内装置の水圧管上端部下の排水口に接続して連つさせ、水を排水管を通して水槽内に送り出すよう配備するとともに、駆動ポンプ内の羽根車の回転を逆転させた該羽根車の軸は、駆動ポンプ前面のＶプーリーを回転させてなり、前記オルタネーターは、前記バッテリー対応の容量出力１００Ａのものとし、駆動ポンプのＶプーリーと、ボックス前面のオルタネーターのＶプーリーとを、Ｖベルトで連結連動させ、オルタネーターのＶプーリー軸の回転で発電し、オルタネーター後部に内蔵されているレギュレーターで、オルタネーターの発生電圧を適正値に制御しバッテリーに適した電圧へと変圧を行い、発電した交流ＡＣ１００Ｖの電力を前記コンバーターに送電し、コンバーターは、オルタネーターで発電した電力交流ＡＣ１００Ｖは、周波数、出圧、電流などが安定しないので、一旦直流ＤＣ１２Ｖの電力に変換し、バッテリー直流ＤＣ１２Ｖの１００Ａｈに送電される構成とし、必要な電力以外の消費機器を使用しないで、バッテリーの容量が満充電になると、オルタネーターの後部に内蔵されているレギュレーターが電気を流さなくなるとともに、オルタネーターとバッテリーの間に備えたコンバーターから小型インバーターを介して交流ＡＣ１００Ｖに変換し連携している、インバーターから電動ポンプに送電している間に備えた、自動ポンプスイッチに電気が流れなくなり自動電動ポンプスイッチが切られ、電動ポンプの可動が停止し、駆動ポンプ、オルタネーターの回転も停止する、また、インバーターからの消費機器の放電により、バッテリーからインバーターに電気が流れると、バッテリーからインバーターを介して連携している自動電動ポンプスイッチが入り、インバーターと電動ポンプが接続され、電動ポンプを可動させ、駆動ポンプ、オルタネーターが回転して発電し交流ＡＣ１００Ｖの電力を、一旦コンバーターへ送電し変換された直流の電力をバッテリーに送電する構成とし、電源スイッチを押すことで水槽内の水を循環させ発電することを特徴とする水圧管発電装置を、課題を解決するための手段とする。
【手続補正３】
【補正対象書類名】明細書
【補正対象項目名】００２０
【補正方法】変更
【補正の内容】
【００２０】
第1収納庫１６に備えたインバーター１７は、バッテリー３２からの直流ＤＣ１２Ｖの電力を、電圧・電流・周波数の可変の交流ＡＣ１００Ｖの電力に変換する装置を内蔵し、電源電圧：ＤＣ１２Ｖから、出力電圧：ＡＣ１００Ｖの定格出力：１５００
Ｗまでとし、瞬間最大出力：３０００Ｗ、出力波形は正弦波、回路保護をし入力定電
圧警報音、低電圧遮断、過温度遮断、短絡遮断、入力過電圧保護、入力逆接続保護機
能など機能のものを備え、図1、図2に示すように、前面に操作盤が設けられ、点灯ランプ付き押しボタンの電源スイッチ５、電源コンセント５ａ、充電点灯ランプ、点灯ランプ付き押しボタンの外部電源スイッチ６をそれぞれ配備し、また、ボックス７の左側面の下に外部から電気を取り入れる際の外部電源プラグ６ａをそれぞれ配備し、また、ＤＣ直流電力からＡＣ交流電力に変換し、消費機器の電力を定格出力１５００Ｗを引出せるものを備えたものである。また、横に隣接し配備したコンバーター１８はＡＣ交流からＤＣ直流に変換する機能を持った装置のもので、バッテリー３２、及び小型インバーター１７ａに連結している。
【手続補正４】
【補正対象書類名】明細書
【補正対象項目名】００２１
【補正方法】変更
【補正の内容】
【００２１】
第2収納庫１９の電動ポンプ２０は、図2、図4、及び図8に示すように、バンド板２２をネジ２１で締め床板に固着し、ＡＣ交流の定額消費量３００Ｗの電力源で回転するものを備え、吐出し量（Ｌ／分）：１４０を、また、水の吸込み口２０ａと吐出し口２０ｂの口径３０ｍｍを設けている。
【手続補正５】
【補正対象書類名】明細書
【補正対象項目名】００２２
【補正方法】変更
【補正の内容】
【００２２】
第3収納庫２５の駆動ポンプ２６は、図2、図4に示すように、水の吸込み口２６ａと吐出し口２６ｂを逆にし逆転させ、また、水圧を増すために水を送り込む電動ポンプ２０に無理の行かない程度の、吐出し量（Ｌ／分）：１４０の回転速度（ｍｉｎ）：４６００のものに、吸込み口２０ａと吐出し口２０ｂ口径のものを２５ｍｍに小さくし水を送りプーリ−２７の回転を次のオルタネーター３０の右回転に対応し備えている。
【手続補正６】
【補正対象書類名】明細書
【補正対象項目名】００２３
【補正方法】変更
【補正の内容】
【００２３】
第4収納庫２９のオルタネーター３０は、蓄電されるバッテリー容量１００Ａｈに対応し、Ｖベルト２７ａによって駆動ポンプ２６のプーリー２７とオルタネーター３０のプーリー２７を連動させオルタネーター３２のプーリー軸の回転で発電されるもので、また、発電された電圧をバツテリー３２に適した電圧へと変圧を行う、レギュ
レーターをオルタネーター３０の後部に内蔵したものを備え。第5収納庫３１に備え
たバッテリー３２は、ＤＣ直流の１２Ｖで容量１００Ａｈで発電された電気を蓄電するよう備えたものである。
【手続補正７】
【補正対象書類名】明細書
【補正対象項目名】００３０
【補正方法】変更
【補正の内容】
【００３０】
同時に、図３、図４及び図８が示すように、バッテリー３２の電気をインバーター１７を介して電動ポンプ２０定格消費電力：３００Ｗ、吐出し量（Ｌ/min）：１４０、に送電され回転を始めるとともに、電動ポンプ２０の吸込み口２０ａ口径３０ｍｍに接続している給水管２３に、後部の水槽２３の隔壁７ａを介して接続した水槽内装置１２の給水口１３から、水槽８内の水が吸込まれる。つぎに、電動ポンプ２０に吸い込まれた水は、吐出し口２０ｂから後部の水槽８の隔壁７ａを介して連接した水槽内装置１２のコの字状の水圧管１４の下端部に吐出される。  
【手続補正８】
【補正対象書類名】明細書
【補正対象項目名】００３１
【補正方法】変更
【補正の内容】
【００３１】
さらに、口径３０ｍｍの水圧管１４に吐出された水は、図3、図5及び図６に示すように、水槽８の隔壁７ａ左上に設けたコの字状の水圧管１４の上端部を、水槽８の隔壁７ａを介して口径２５ｍｍに細めて水圧を強めた水となり、第3収納庫２５に備えた、吐出し量 (L/min）：１４０、回転速度（min）：４６００、回転速度はオルタネーターの回転力で下がるが充分であり、駆動ポンプ２６の吐出し口に口径２５ｍｍの吸込み口２６ａを接続し、そこに、圧力のある水を送りこむ。この水は駆動ポンプ２６内の羽根車の回転をオルタネーター３０の右回転に対応し逆
転させ、また、回転を容易にしている、吸込み口に吐出し口２６bを継手２４で接続した排水管２８に流し込み、隔壁７ａを介して水槽８内に備えた水槽内装置１２の排水口１５から排水し水槽８に水を戻している。
【手続補正９】
【補正対象書類名】明細書
【補正対象項目名】００３２
【補正方法】変更
【補正の内容】
【００３２】
このとき、図2、図5及び図7に示すように、駆動ポンプ２６の吸込み口２６ａに圧力のある水を送込み羽根車を回転させた軸は、駆動ポンプ２６の前面のＶプーリー２７を回転させ、さらに、連携している第４収納庫２９のオルタネーター３０のプー
リー２７を回転させる。また、オルタネーター３０の回転数を増すため、駆動ポンプ
２６のプーリー２７の径を少し大きくしオルタネーター３０のプーリー２７とをＶベ
ルト２７ａによって連動しオルタネーター３０を回して電気を発生させている。また、オルタネー３０の後部に内蔵しいるレギュレーターは必要に応じてオルタネーター３０の発電電圧を適正値に制御しバッテリー３２に適した電圧へと変圧を行い、充電するバッテリー３２の容量１００ＡｈでＤＣ直流の１２Ｖに対応のものである。
【手続補正１０】
【補正対象書類名】明細書
【補正対象項目名】００３３
【補正方法】変更
【補正の内容】
【００３３】
発電された電気はＡＣ１００Ｖの交流で、図２に示すように、バッテリー３２に充電するため、一旦、ＡＣ１００Ｖの交流からコンバーター１８によってＤＣ直流の１２Ｖに電源変換し、さらに、安定した電源を可能にしＤＣ直流１２Ｖのバッテリー３２容量１００Ａｈに充電される。つぎに、第１収納庫１６に備えた、正弦波のインバーター１７の電源電圧：ＤＣ１２Ｖから、電圧・電流・周波数の可変の交流ＡＣ１００Ｖの、定格出力１５００Ｗ、瞬間最大出力３０００Ｗに変換され電動ポンプ２０及び電源コンセント５ａに送電される。
【手続補正１１】
【補正対象書類名】明細書
【補正対象項目名】００３４
【補正方法】変更
【補正の内容】
【００３４】
インバーター１７から交流の電力を電動ポンプ２０に送電し可動させ、必要な電力以外は余電力として電源コンセント５ａから利用し、また、余電力として使用しないでバッテリー３２が満充電になれば、オルタネーター３０の後部に内蔵されているレギュレーターが、バッテリー３２に適した電圧へと変圧を行いバッテリー３２に電気が流れなくなる。そのとき、操作盤４の充電点灯ランプ５ｂが消えるとともに、オルタネーター３０とバッテリ−３２の間に備えたコンバーター１８から小型インバーター１７ａを介して交流ＡＣ１００Ｖに変換し連携している、自動電動ポンプスイッチ５ｃにも電気が流れなくなり自動電動ポンプスイッチ５ｃが切られ、インバータ１７から自動電動ポンプスイッチ５ｃを介して連携して備えたいる電動ポンプ２０の可動を停止し、水槽内装置１２を介して連携している駆動ポンプ２６及びオルタネーター３０の回転が停止する。
【手続補正１２】
【補正対象書類名】明細書
【補正対象項目名】００３５
【補正方法】変更
【補正の内容】
【００３５】
また、電源コンセント５ａからの消費機器の使用で、バッテリー３２からインバー
ター１７へ電気が流れることで、インバーター１７から送電される電動ポンプ２０との間の自動電動ポンプスイッチ５ｃに電気が流れ自動ポンプスイッチ５ｃが入り、インバーター１７から電動ポンプ２０とが接続され、電動ポンプ２０に交流ＡＣの電気を送り可動させ、操作盤４の充電点灯ランプ５ｂが点灯する。以下、前記歳の通り、駆動ポンプ２６、及びオルタネーター３０を回転させ電気を発生させる。また、消費機器が電気を必要としなくなると、電源スイッチ５の押しボタンを、再度押すことで
ボタンが戻り、全ての電源が遮断されボタンの点灯ランプ及び充電点灯ランプ５ｂが消え、電源コンセント５ａから消費機器のプラグを抜き完了する。
【手続補正１３】
【補正対象書類名】明細書
【補正対象項目名】００３６
【補正方法】変更
【補正の内容】
【００３６】
また、消費機器が電気を必要としなくなったとき、先に電源コンセント５ａから消費機器のプラグを抜き取り、バッテリー３２が満充電になりオルタネーター３０の後部に内蔵されているレギュレターが電気の流れを止めて充電点灯ランプ５ｂが消えた後、電源スイッチ５の押しボタンを、再度、押すことでボタンが戻り点灯ランプが消え完了させる。
【手続補正１４】
【補正対象書類名】明細書
【補正対象項目名】００３７
【補正方法】変更
【補正の内容】
【００３７】
また、インバーター１７は、放電による過負荷時１５００Ｗを超える消費機器を使用すると入力過電圧保護機能が働き警告のため自動的に電源を遮断し、操作盤４の電源スイッチ５の押しボタンが自動的に戻り点灯ランプ及び充電点灯ランプ５ｂが消える。さらに、発電のためインバーター１７から第２収納庫１９の電動ポンプ２０に送電され可動していた電気も遮断され、オルタネーター３０の回転も止まることから、定格出力１５００Ｗを超えない消費機器を使用することで解消される。
【手続補正１５】
【補正対象書類名】明細書
【補正対象項目名】００３８
【補正方法】変更
【補正の内容】
【００３８】
図１、図２が示すように、水圧管発電装置１の発電機は、最初はバッテリー３２からの電気で始動するため、常に使用していれば絶えず発電され充電しているが、長期
間放置しているとバッテリーが３２上がり、外部からの電源が必要になることがある。
このことから、ボックス７の左側面の下に備えた、外部電源プラグ６ａを外部からの
電気に接続し、操作盤４の電源スイッチ５と外部電源スイッチ６の両ボタンを押すことで、外部用電源が流れ自動切替スイッチ５ｅが切り替わり、外部電源スイッチ６のボタンの点灯ランプ、及び充電点灯ランプ５ｂが点灯する。以下、電動ポンプ２０、及び電源ソケット５ａに電気を送電し電動ポンプ２０を可動させ、以下、前記歳の通り駆動ポンプ２０及びオルタネーター３０を回転させ、電気を発生させてコンバーター１８で電圧を変換しバッテリー３２に充電される。
【手続補正１６】
【補正対象書類名】明細書
【補正対象項目名】００３９
【補正方法】変更
【補正の内容】
【００３９】
このとき、バッテリー３２に最低限の使用容量に充電されると、バッテリー３２からインバーター１７を介して自動切替スイッチ５ｅに電気が流れ自動切替スイッチ５ｅが切り替えられ、外部電源スイッチ６が切られ外部からの電気の流れを遮断し、押していた外部電源スッチ６の押しボタンが自動的に戻り、点灯ランプが消えバッテリー３２からの電源に戻る。そこで外部からの電源を接続していた外部電源プラグ６ａを外し、外部からの充電を完了させる。
【手続補正１７】
【補正対象書類名】明細書
【補正対象項目名】００４０
【補正方法】変更
【補正の内容】
【００４０】
以上、説明した本発明に係る水圧管発電装置１によれば、水槽８の水槽内装置１２を組み込むことで、電源スイッチ５のボタンを押すだけで発電をしながら、定格出力１５００Ｗまでの、発電をする為の電動ポンプと電源コンセントからの消費機器のものを使用することができる。定格消費電力１５００Ｗ以上のものを使用すると、電源スイッチ５の押しボタンが戻りボタンの点灯ランプが消え自動的に電源を遮断することから、安全面からも危険を解消することができる。
【手続補正１８】
【補正対象書類名】明細書
【補正対象項目名】００４１
【補正方法】変更
【補正の内容】
【００４１】
１      水圧管発電装置    
２      ケース
２ａ    取手部
２ｂ    ナット
３      換気口
３ａ    開口部
４      操作盤
５      電源スイッチ
５ａ    電源コンセント
５ｂ    充電点灯ランプ
５ｃ    自動電動ポンプスイッチ
５ｄ
５ｅ    自動切替スイッチ
６      外部電源スイッチ
６ａ    外部電源プラグ
７      ボックス              
７ａ    隔壁
７ｂ    取付け金具
７ｃ    足部
８      水槽
９      水槽給水口
９ａ    蓋
１０    水槽排水口
１１    水量計
１２    水槽内装置
１３    給水口
１４    水圧管
１５    排水口
１６    第１収納庫
１７    インバーター
１７ａ  小型インバーター
１８    コンバーター
１９    第２収納庫
２０    電動ポンプ
２０ａ  吸込み口
２０ｂ  吐出し口
２１    ネジ
２２    バンド板
２３    給水管
２４    継手
２５    第３収納庫
２６    駆動ポンプ
２６ａ  吸込み口
２６ｂ  吐出し口
２７    Ｖプーリー
２７ａ  Ｖベルト
２８    排水口
２９    第４収納庫
３０    オルタネーター
３１    第５収納庫
３２    バッテリー
【手続補正書】
【提出日】平成28年3月10日(2016.3.10)
【手続補正１】
【補正対象書類名】図面
【補正対象項目名】図９
【補正方法】変更
【補正の内容】
【図９】
2016211528.tif 000012
【手続補正書】
【提出日】平成28年8月2日(2016.8.2)
【手続補正１】
【補正対象書類名】特許請求の範囲
【補正対象項目名】全文
【補正方法】変更
【補正の内容】
【特許請求の範囲】
【請求項１】
バッテリー、インバーター、コンバーターに、駆動手段の、電動ポンプ、駆動ポンプ、オルタネーターを、ボックス前部の区画した収納庫に配備し、ボックス後部に、水槽を備えて水槽内装置を設け、これにケースを被せて装備し、ケースに、開口部、換気口を設け、左側面の下に、外部電源プラグを配備した水圧管発電装置において、
前記水槽内装置は、水槽内隔壁に配備し，該水槽内隔壁の右下部に給水口口径：３０ｍｍを設け、給水管でボックス前部の電動ポンプの吸込み口に、隔壁を介して接続し、該給水口の上に、コ字状の水圧に耐えるよう管の肉厚を厚くした水圧管下端部口径：３０ｍｍを取り付け、電動ポンプの吐出し口に、隔壁を介して接続し、更に水圧管上端部口径：２５ｍｍを、水槽内の中央部を斜めにして、水圧を強めるため水圧管下端部の口径より小さくし、水槽内隔壁の左上部に取り付け、ボックス前部の駆動ポンプの吐出し口に、隔壁を介して接続し、排水口、は口径：２５ｍｍを水圧管上端部の下に設け、排水管でボックス前部の駆動ポンプの吸込み口に、隔壁を介して接続したものからなり、また、水槽内装置と各機材は一律に大きなものに変えることができる、
前記バッテリーは、ボックス前部下の第５収納庫に備え、容量ＤＣ１２Ｖの１００Ａｈに予め充電して置き、動力源として前記インバーターと直結し、更にオルタネーターから発電された電力を蓄電することからなり、
前記インバーターは、ボックス前部の第１収納庫に備え、バッテリーからの直流ＤＣ１２Ｖの電力を、電圧・電流・周波数の可変の交流ＡＣ１００Ｖの電力に変換する装置を内蔵し、電源電圧：ＤＣ１２Ｖ、出力電圧：ＡＣ１００Ｖ、定格出力：１５００Ｗ、回路保護：入力定電圧警報音、短絡遮断、など機能があり、
インバーターの正面に操作盤を有し、電源スイッチ、充電点灯ランプ、外部電源スイッチを備え、その下に、電源コンセントを配備し、電源スイッチは電動ポンプ及び電源コンセントへの送電用とし、充電点灯ランプは、電動ポンプの可動とともに点灯し、可動が停止すると消灯とし、外部電源スイッチは、バッテリーが上がった際にケース左側面の外部電源プラグから、電源を切り替えて電動ポンプ及び電源コンセントに送電するよう配設したものとし、必要な電力以外は余電力として使用し得る事を可能にして、また電力の放電による過負荷時を超える消費機器を使用すると、警告のため自動的に電源を遮断することから、定格出力を超えない消費機器を使用することとした構造のものを備えてなり、
前記電動ポンプを、ボックス前部の第２収納庫に備え、電気をバッテリーからインバーターを介して送電し、定格消費電力：３００Wの電動ポンプを可動し、該電動ポンプの回転で、電動ポンプの吸込み口口径：３０ｍｍを接続したボックス後部の前記水槽内装置の給水口から水槽内の水を吸込み、更に吐出し口口径：３０ｍｍを接続し連通させた水槽内装置の水圧管下端部から、水を水圧管に吐出して送る構成とし、
前記駆動ポンプは、ボックス前部の第３収納庫に備え、吐出し口の口径：２５ｍｍを、接続し連通したボックス後部の水槽内装置の水圧管上端部から、水圧管からの圧力ある水を送り込み、駆動ポンプ内の羽根車を逆転させ、回転をオルタネーターの右回転に対応し、また回転を容易にし、回転速度はオルタネーターの回転力で下がるが充分であり、更に駆動ポンプの吸込み口口径：２５ｍｍを、接続し連通させた水槽内装置の水圧管上端部下の排水口から、排水管を通して水を水槽内に送り出すよう配備するとともに、前記駆動ポンプ内の羽根車の回転を逆転させた該羽根車の軸は、駆動ポンプ前面のＶプーリーを回転させてなり、  
前記オルタネーターは、ボックス前部左中央の第４収納庫に備え、前記バッテリーＤＣ１２Ｖの１００Ａｈに対応の容量ものとし、駆動ポンプのＶプーリーと、ボックス前面のオルタネーターのＶプーリーとをＶベルトで連結連動させ、オルタネーターのＶプーリー軸の回転でオルタネーター内の電磁石を磁化させる電流を増やし、それによって発電量を増やして発電をし、該発電したＡＣ１００Ｖの電力を、コンバーターを介してバッテリーＤＣ１２の１００Ａｈに送電し、一方の、自動電動ポンプスイッチ用の小型インバーターにも、コンバーターを介して送電してなり、
前記コンバーターは、第１収納庫に備えたインバーターの右横に隣接して備え、オルタネーターで発電した電力ＡＣ１００Ｖは、周波数、電圧、電流などが安定しないので、一旦直流ＤＣ１２Ｖの電力に変換しバッテリー、及び小型インバーターへ送電するとし、
更に、オルタネーターは、必要な電力以外の消費機器を使用しないで、バッテリーの容量が満充電になれば、充電する電気量を自動的に調節し、オルタネーターからコンバーターを介して直結したバッテリーに電気の流れを止め、該電気の流れを止めてもオルタネーターは常に回り続けていることから、一方のコンバーターから小型インバーターを介してＡＣ１００Ｖに変換し連携している、自動電動ポンプスイッチにも電気が流れなくなりスイッチが切られ、インバーターから電動ポンプに送電している間に備えた、該自動電動ポンプスイッチが切られたことで電動ポンプの可動が停止し、駆動ボンプ、及びオルタネーターの回転も停止することから、バッテリーからの電気を節電をしている、
また、インバーターからの消費機器の放電により、バッテリーからインバーターに電気が流れると、バッテリーからインバーターを介して連携している自動電動ポンプスイッチに電気が流れ自動電動ポンプスイッチが入り、インバーターと電動ポンプが接続され前記電動ポンプを可動させ、駆動ポンプ、及びオルタネーターが回転をして発電しＡＣ１００Ｖの電力を、一旦、コンバーターへ送電されＤＣ１２Ｖの電圧に変換して、
バッテリー及び小型インバーターに送電し、該バッテリーで充電する、一方の小型インバーターからもＡＣ１００Ｖ変換して、該自動電動ポンプスイッチに送電しスイッチを入れた状態にすることを構成とし、
電源スイッチを押すことで水槽内の水を循環させ発電することを特徴とする水圧管発電装置。  
【手続補正２】
【補正対象書類名】明細書
【補正対象項目名】０００８
【補正方法】変更
【補正の内容】
【０００８】
本発明は、バッテリー、インバーター、コンバーターに、駆動手段の、電動ポンプ、駆動ポンプ、オルタネーターを、ボックス前部の区画した収納庫に配備し、ボックス後部に、水槽を備えて水槽内装置を設け、これにケースを被せて装備し、ケースに、開口部、換気口を設け、左側面の下に、外部電源プラグを配備した水圧管発電装置において、前記水槽内装置は、水槽内隔壁に配備し，該水槽内隔壁の右下部に給水口口径：３０ｍｍを設け、給水管でボックス前部の電動ポンプの吸込み口に、隔壁を介して接続し、該給水口の上に、コ字状の水圧に耐えるよう管の肉厚を厚くした水圧管下端部口径：３０ｍｍを取り付け、電動ポンプの吐出し口に、隔壁を介して接続し、更に水圧管上端部口径：２５ｍｍを、水槽内の中央部を斜めにして、水圧を強めるため水圧管下端部の口径より小さくし、水槽内隔壁の左上部に取り付け、ボックス前部の駆動ポンプの吐出し口に、隔壁を介して接続し、排水口は、該排水口の口径：２５ｍｍを水圧管上端部の下に設け、排水管でボックス前部の駆動ポンプの吸込み口に、隔壁を介して接続したものからなり、また、水槽内装置と各機材は一律に大きなものに変えることができる、前記バッテリーは、ボックス前部下の第５収納庫に備え、容量ＤＣ１２Ｖの１００Ａｈに予め充電して置き、動力源として前記インバーターと直結し、更にオルタネーターから発電された電力を蓄電することからなり、
前記インバーターは、ボックス前部の第１収納庫に備え、バッテリーからの直流ＤＣ１２Ｖの電力を、電圧・電流・周波数の可変の交流ＡＣ１００Ｖの電力に変換する装置を内蔵し、電源電圧：ＤＣ１２Ｖ、出力電圧：ＡＣ１００Ｖ、定格出力：１５００Ｗ、回路保護：入力定電圧警報音、短絡遮断、など機能があり、インバーターの正面に操作盤を有し、電源スイッチ、充電点灯ランプ、外部電源スイッチを備え、その下に、電源コンセントを配備し、電源スイッチは電動ポンプ及び電源コンセントへの送電用とし、充電点灯ランプは、電動ポンプの可動とともに点灯し、可動が停止すると消灯とし、外部電源スイッチは、バッテリーが上がった際にケース左側面の外部電源プラグから、電源を切り替えて電動ポンプ及び電源コンセントに送電するよう配設したものとし、必要な電力以外は余電力として使用し得る事を可能にして、また電力の放電による過負荷時を超える消費機器を使用すると、警告のため自動的に電源を遮断することから、定格出力を超えない消費機器を使用することとした構造のものを備えてなり、前記電動ポンプを、ボックス前部の第２収納庫に備え、電気をバッテリーからインバーターを介して送電し、定格消費電力：３００Wの電動ポンプを可動し、該電動ポンプの回転で、電動ポンプの吸込み口口径：３０ｍｍを接続したボックス後部の前記水槽内装置の給水口から水槽内の水を吸込み、更に吐出し口口径：３０ｍｍを接続し連通させた水槽内装置の水圧管下端部から、水を水圧管に吐出して送る構成とし、前記駆動ポンプは、ボックス前部の第３収納庫に備え、吐出し口の口径：２５ｍｍを、接続し連通したボックス後部の水槽内装置の水圧管上端部から、水圧管からの圧力ある水を送り込み、駆動ポンプ内の羽根車を逆転させ、回転をオルタネーターの右回転に対応し、また回転を容易にし、回転速度はオルタネーターの回転力で下がるが充分であり、更に駆動ポンプの吸込み口口径：２５ｍｍを、接続し連通させた水槽内装置の水圧管上端部下の排水口から、排水管を通して水を水槽内に送り出すよう配備するとともに、前記駆動ポンプ内の羽根車の回転を逆転させた該羽根車の軸は、駆動ポンプ前面のＶプーリーを回転させてなり、前記オルタネーターは、ボックス前部左中央の第４収納庫に備え、前記バッテリーＤＣ１２Ｖの１００Ａｈに対応の容量ものとし、駆動ポンプのＶプーリーと、ボックス前面のオルタネーターのＶプーリーとをＶベルトで連結連動させ、オルタネーターのＶプーリー軸の回転でオルタネーター内の電磁石を磁化させる電流を増やし、それによって発電量を増やして発電をし、該発電したＡＣ１００Ｖの電力を、コンバーターを介してバッテリーＤＣ１２の１００Ａｈに送電し、一方の、自動電動ポンプスイッチ用の小型インバーターにも、コンバーターを介して送電してなり、前記コンバーターは、第１収納庫に備えたインバーターの右横に隣接して備え、オルタネーターで発電した電力ＡＣ１００Ｖは、周波数、電圧、電流などが安定しないので、一旦直流ＤＣ１２Ｖの電力に変換しバッテリー、及び小型インバーターへ送電するとし、更に、オルタネーターは、必要な電力以外の消費機器を使用しないで、バッテリーの容量が満充電になれば、充電する電気��を自動的に調節し、オルタネーターからコンバーターを介して直結したバッテリーに電気の流れを止め、該電気の流れを止めてもオルタネーターは常に回り続けていることから、一方のコンバーターから小型インバーターを介してＡＣ１００Ｖに変換し連携している、自動電動ポンプスイッチにも電気が流れなくなりスイッチが切られ、インバーターから電動ポンプに送電している間に備えた、該自動電動ポンプスイッチが切られたことで電動ポンプの可動が停止し、駆動ボンプ、及びオルタネーターの回転も停止することから、バッテリーからの電気を節電をしている、また、インバーターからの消費機器の放電により、バッテリーからインバーターに電気が流れると、バッテリーからインバーターを介して連携している自動電動ポンプスイッチに電気が流れ自動電動ポンプスイッチが入り、インバーターと電動ポンプが接続され前記電動ポンプを可動させ、駆動ポンプ、及びオルタネーターが回転をして発電しＡＣ１００Ｖの電力を、一旦、コンバーターへ送電されＤＣ１２Ｖの電圧に変換して、バッテリー及び小型インバーターに送電し、該バッテリーで充電する、一方の小型インバーターからもＡＣ１００Ｖ変換して、該自動電動ポンプスイッチに送電しスイッチを入れた状態にすることを構成とし、電源スイッチを押すことで水槽内の水を循環させ発電することを特徴とする水圧管発電装置を、課題を解決するための手段とする。
【手続補正３】
【補正対象書類名】明細書
【補正対象項目名】００２０
【補正方法】変更
【補正の内容】
【００２０】
第1収納庫１６に備えたインバーター１７は、図１、図２に示すように、バッテリー３２からの直流ＤＣ１２Ｖの電力を、電圧・電流・周波数の可変の交流ＡＣ１００Ｖの電力に変換する装置を内蔵し、電源電圧：ＤＣ１２Ｖから、出力電圧：ＡＣ１００Ｖの定格出力：１５００Ｗまでとし、回路保護をして入力定電圧警報音、短絡遮断、など機能のものを備え、前面に操作盤が設けられ、点灯ランプ付き押しボタンの電源スイッチ５、電源コンセント５ａ、充電点灯ランプ、点灯ランプ付き押しボタンの外部電源スイッチ６をそれぞれ配備し、また、ボックス７の左側面の下に外部から電気を取り入れる際の外部電源プラグ６ａをそれぞれ配備し、また、ＤＣ直流電力からＡＣ交流電力に変換し、消費機器の電力を定格出力１５００Ｗに引出せるものを備えたものである。また、インバーター１７の横に隣接し配備したコンバーター１８はＡＣ交流からＤＣ直流に変換する機能を持った装置のもので、バッテリー３２、及び小型インバーター１７ａに連結している。
【手続補正４】
【補正対象書類名】明細書
【補正対象項目名】００２１
【補正方法】変更
【補正の内容】
【００２１】
第2収納庫１９の電動ポンプ２０は、図2、図4、及び図8に示すように、バンド板２２をネジ２１で締め床板に固着し、定額消費量３００Ｗの電力源で回転するものを備え、また、水の吸込み口２０ａと吐出し口２０ｂの口径３０ｍｍを設けている。
【手続補正５】
【補正対象書類名】明細書
【補正対象項目名】００２２
【補正方法】変更
【補正の内容】
【００２２】
第3収納庫２５の駆動ポンプ２６は、図2、図4に示すように、水の吸込み口２６ａと吐出し口２６ｂを逆にして逆転させ、また、水圧を増すために水を送り込む電動ポンプ２０に無理の行かない程度のものにして、吸込み口２０ａと吐出し口２０ｂ口径のものを２５ｍｍに小さくし水を送り、駆動ポンプ２６のＶプーリー２７の回転を次のオルタネーター３０のＶプーリー２７右回転に対応し備えている。
【手続補正６】
【補正対象書類名】明細書
【補正対象項目名】００２３
【補正方法】変更
【補正の内容】
【００２３】
第4収納庫２９のオルタネーター３０は、蓄電されるバッテリー３２容量１００Ａｈに対応し、Ｖベルト２７ａによって駆動ポンプ２６のＶプーリー２７とオルタネーター３０のＶプーリー２７を連動させオルタネーター３２のＶプーリー２７軸の回転で電気を発生させているもので、発電された電気をバッテリー３２に送電され、第5収納庫３１に備えたバッテリー３２は、ＤＣ１２Ｖの容量１００Ａｈに発電された電気を蓄電するよう備えたものである。
【手続補正７】
【補正対象書類名】明細書
【補正対象項目名】００３０
【補正方法】変更
【補正の内容】
【００３０】
同時に、図３、図４及び図８が示すように、バッテリー３２の電気をインバーター１７を介して電動ポンプ２０定格消費電力：３００Ｗ、に送電され回転を始めるとともに、電動ポンプ２０の吸込み口２０ａ口径３０ｍｍに接続している給水管２３を、後部の水槽２３の隔壁７ａを介して接続した水槽内装置１２の給水口１３から、水槽８内の水が吸込まれる。つぎに、電動ポンプ２０に吸い込まれた水は、吐出し口２０ｂから後部の水槽８の隔壁７ａを介して連接した水槽内装置１２のコの字状の水圧管１４の下端部に吐出される。  
【手続補正８】
【補正対象書類名】明細書
【補正対象項目名】００３１
【補正方法】変更
【補正の内容】
【００３１】
さらに、口径３０ｍｍの水圧管１４に吐出された水は、図3、図5及び図６に示すように、水槽８の隔壁７ａ左上に設けたコの字状の水圧管１４の上端部を、水槽８の隔壁７ａを介して口径２５ｍｍに細めて水圧を強めた水となり、第3収納庫２５に備えた駆動ポンプの回転速度はオルタネーターの回転力で下がるが充分であり、駆動ポンプ２６の吐出し口に口径２５ｍｍの吸込み口２６ａを接続し、そこに、圧力のある水を送りこむ。この水は駆動ポンプ２６内の羽根車の回転をオルタネーター３０の右回転に対応し逆転させ、また、回転を容易にしている、駆動ポンプの回転速度はオルタネーターの回転力で下がるが充分であり、吸込み口に吐出し口２６ｂを継手２４で接続した排水管２８に流し込み、隔壁７ａを介して水槽８内に備えた水槽内装置１２の排水口１５から排水し水槽８に水を戻している。
【手続補正９】
【補正対象書類名】明細書
【補正対象項目名】００３２
【補正方法】変更
【補正の内容】
【００３２】
このとき、図2、図5及び図7に示すように、駆動ポンプ２６の吸込み口２６ａに圧力のある水を送込み羽根車を回転させた軸は、駆動ポンプ２６の前面のＶプーリー２７を回転させ、さらに、連携している第４収納庫２９のオルタネーター３０のＶプーリー２７を回転させる。また、オルタネーター３０の回転数を増すため、駆動ポンプ２６のＶプーリー２７の径を少し大きくし、オルタネーター３０のＶプーリー２７とＶベルト２７ａによって連動しオルタネーター３０を回転させ、該オルタネーター３０内の電磁石を磁化させる電流を増やし、それによって発電量を増やし発電をしている。また、オルタネーター３０は、充電するバッテリー３２の容量ＤＣ１２Ｖの１００Ａhに対応のものである。
【手続補正１０】
【補正対象書類名】明細書
【補正対象項目名】００３３
【補正方法】変更
【補正の内容】
【００３３】
発電された電気はＡＣ１００Ｖの交流で、図２に示すように、バッテリー３２に充電するため、一旦、ＡＣ１００Ｖからコンバーター１８によってＤＣ１２Ｖに電圧を変換し、さらに、安定した電源を可能にしてＤＣ１２Ｖのバッテリー３２容量１００Ａｈに充電される。つぎに、第１収納庫１６に備えた、正弦波のインバーター１７の電源電圧：ＤＣ１２Ｖから、電圧・電流・周波数の可変の交流ＡＣ１００Ｖの定格出力１５００Ｗに変換され電動ポンプ２０及び電源コンセント５ａに送電される。
【手続補正１１】
【補正対象書類名】明細書
【補正対象項目名】００３４
【補正方法】変更
【補正の内容】
【００３４】
インバーター１７から交流の電力を電動ポンプ２０に送電し可動させ、必要な電力以外は余電力として電源コンセント５ａから利用し、また、余電力として使用しないでバッテリー３２が満充電になれば、オルタネーター３０は充電する電気量を自動的に調節し、オルタネーター３０からコンバーター１８を介して直結したバッテリー３２への電気の流れを止める。このとき、操作盤４の充電点灯ランプ５ｂが消えるとともに、オルタネーター３０とバッテリー３２の間に備えたコンバーター１８から小型インバーター１７ａを介してＡＣ１００Ｖに変換し連携している自動電動ポンプスイッチ５ｃにも電気が流れなくなり自動電動ポンプスイッチ５ｃが切られ、インバーター１７から自動電動ポンプスイッチ５ｃを介して連携して備えている電動ポンプ２０の可動を停止し、水槽内装置１２を介して連携している駆動ポンプ２６及びオルタネーター３０の回転も停止することから、バッテリーからの電気を節電している。
【手続補正１２】
【補正対象書類名】明細書
【補正対象項目名】００３５
【補正方法】変更
【補正の内容】
【００３５】
また、電源コンセント５ａからの消費機器の使用で、バッテリー３２からインバー
ター１７へ電気が流れることで、インバーター１７から送電される電動ポンプ２０との間の自動電動ポンプスイッチ５ｃに電気が流れ自動電動ポンプスイッチ５ｃが入り、
更に一方の、コンバーターから小型インバーターを介してＡＣ１００Ｖに変換して、該自動電動ポンプスイッチに送電されスイッチを入れた状態で、インバーター１７から電動ポンプ２０に接続され、電動ポンプ２０にＡＣの電気を送電し可動させ、操作盤４の充電点灯ランプ５ｂが点灯する。以下、前記の通り、駆動ポンプ２６、及びオルタネーター３０を回転させ電気を発生させる。また、消費機器が電気を必要としなくなると、電源スイッチ５の押しボタンを、再度押すことでボタンが戻り、全ての電源が遮断されボタンの点灯ランプ及び充電点灯ランプ５ｂが消え、電源コンセント５ａから消費機器のプラグを抜き取り完了する。
【手続補正１３】
【補正対象書類名】明細書
【補正対象項目名】００３６
【補正方法】変更
【補正の内容】
【００３６】
また、消費機器が電気を必要としなくなったとき、先に電源コンセント５ａから消費機器のプラグを抜き取り、バッテリー３２が満充電になりオルタネーター３０が電気の流れを止めて充電点灯ランプ５ｂが消えた後、電源スイッチ５の押しボタンを、再度、押すことでボタンが戻り点灯ランプが消え完了させる。
【手続補正１４】
【補正対象書類名】明細書
【補正対象項目名】００３７
【補正方法】変更
【補正の内容】
【００３７】
また、インバーター１７は、放電による過負荷時１５００Ｗを超える消費機器を使用すると警告のため自動的に電源を遮断し、操作盤４の電源スイッチ５の押しボタンが自動的に戻り点灯ランプ及び充電点灯ランプ５ｂが消える。さらに、発電のためインバーター１７から第２収納庫１９の電動ポンプ２０に送電され可動していた電気も遮断され、オルタネーター３０の回転も止まることから、インバーター１７の定格出力１５００Ｗを超えない消費機器を使用することで解消される。
【手続補正１５】
【補正対象書類名】明細書
【補正対象項目名】００４０
【補正方法】変更
【補正の内容】
【００４０】
以上、説明した本発明に係る水圧管発電装置１によれば、水槽８の水槽内装置１２を組み込むことで、電源スイッチ５のボタンを押すだけで発電をして、定格出力１５００Ｗまでの、発電をする為の電動ポンプ２０の消費電力３００Wに余電力として電源コンセント５ａからの消費機器のものを使用することができる。また、定格消費電力１５００Ｗ以上のものを使用すると、電源スイッチ５の押しボタンが戻りボタンの点灯ランプが消え自動的に電源を遮断することから、安全面からも危険を解消することができる。
【手続補正１６】
【補正対象書類名】明細書
【補正対象項目名】００４１
【補正方法】変更
【補正の内容】
【００４１】
１      水圧管発電装置    
２      ケース
２ａ    取手部
２ｂ    ナット
３      換気口
３ａ    開口部
４      操作盤
５      電源スイッチ
５ａ    電源コンセント
５ｂ    充電点灯ランプ
５ｃ    自動電動ポンプスイッチ
５ｅ    自動切替スイッチ
６      外部電源スイッチ
６ａ    外部電源プラグ
７      ボックス              
７ａ    隔壁
７ｂ    取付け金具
７ｃ    足部
８      水槽
９      水槽給水口
９ａ    蓋
１０    水槽排水口
１１    水量計
１２    水槽内装置
１３    給水口
１４    水圧管
１５    排水口
１６    第１収納庫
１７    インバーター
１７ａ  小型インバーター
１８    コンバーター
１９    第２収納庫
２０    電動ポンプ
２０ａ  吸込み口
２０ｂ  吐出し口
２１    ネジ
２２    バンド板
２３    給水管
２４    継手
２５    第３収納庫
２６    駆動ポンプ
２６ａ  吸込み口
２６ｂ  吐出し口
２７    Ｖプーリー
２７ａ  Ｖベルト
２８    排水管
２９    第４収納庫
３０    オルタネーター
３１    第５収納庫
３２    バッテリー
【手続補正書】
【提出日】平成28年8月9日(2016.8.9)
【手続補正１】
【補正対象書類名】特許請求の範囲
【補正対象項目名】全文
【補正方法】変更
【補正の内容】
【特許請求の範囲】
【請求項１】
バッテリー、インバーター、コンバーターに、駆動手段の、電動ポンプ、駆動ポンプ、オルタネーターを、ボックス前部の区画した収納庫に配備し、ボックス後部に、水槽を備えて水槽内装置を設け、これにケースを被せて装備し、ケースに、開口部、換気口を設け、左側面の下に、外部電源プラグを配備した水圧管発電装置において、
前記水槽内装置は、水槽内隔壁に配備し，該水槽内隔壁の右下部に給水口口径：３０ｍｍを設け、給水管でボックス前部の電動ポンプの吸込み口に、隔壁を介して接続し、該給水口の上に、コ字状の水圧に耐えるよう管の肉厚を厚くした水圧管下端部口径：３０ｍｍを取り付け、電動ポンプの吐出し口に、隔壁を介して接続し、更に水圧管上端部口径：２５ｍｍを、水槽内の中央部を斜めにして、水圧を強めるため水圧管下端部の口径より小さくし、水槽内隔壁の左上部に取り付け、ボックス前部の駆動ポンプの吐出し口に、隔壁を介して接続し、排水口は、口径：２５ｍｍを水圧管上端部の下に設け、排水管でボックス前部の駆動ポンプの吸込み口に、隔壁を介して接続したものからなり、また、水槽内装置と各機材は一律に大きなものに変えることができる、
前記バッテリーは、ボックス前部下の第５収納庫に備え、容量ＤＣ１２Ｖの１００Ａｈに予め充電して置き、動力源として前記インバーターと直結し、更にオルタネーターから発電された電力を蓄電することからなり、
前記インバーターは、ボックス前部の第１収納庫に備え、バッテリーからの直流ＤＣ１２Ｖの電力を、電圧・電流・周波数の可変の交流ＡＣ１００Ｖの電力に変換する装置を内蔵し、電源電圧：ＤＣ１２Ｖ、出力電圧：ＡＣ１００Ｖ、定格出力：１５００Ｗ、回路保護：入力定電圧警報音、短絡遮断、など機能があり、
インバーターの正面に操作盤を有し、電源スイッチ、充電点灯ランプ、外部電源スイッチを備え、その下に、電源コンセントを配備し、電源スイッチは電動ポンプ及び電源コンセントへの送電用とし、充電点灯ランプは、電動ポンプの可動とともに点灯し、可動が停止すると消灯とし、外部電源スイッチは、バッテリーが上がった際にケース左側面の外部電源プラグから、電源を切り替えて電動ポンプ及び電源コンセントに送電するよう配設したものとし、必要な電力以外は余電力として使用し得る事を可能にして、また電力の放電による過負荷時を超える消費機器を使用すると、警告のため自動的に電源を遮断することから、定格出力を超えない消費機器を使用することとした構造のものを備えてなり、
前記電動ポンプを、ボックス前部の第２収納庫に備え、電気をバッテリーからインバーターを介して送電し、定格消費電力：３００Wの電動ポンプを可動し、該電動ポンプの回転で、電動ポンプの吸込み口口径：３０ｍｍを接続したボックス後部の前記水槽内装置の給水口から水槽内の水を吸込み、更に吐出し口口径：３０ｍｍを接続し連通させた水槽内装置の水圧管下端部から、水を水圧管に吐出して送る構成とし、
前記駆動ポンプは、ボックス前部の第３収納庫に備え、吐出し口の口径：２５ｍｍを、接続し連通したボックス後部の水槽内装置の水圧管上端部から、水圧管からの圧力ある水を送り込み、駆動ポンプ内の羽根車を逆転させ、回転をオルタネーターの右回転に対応し、また回転を容易にし、回転速度はオルタネーターの回転力で下がるが充分であり、更に駆動ポンプの吸込み口口径：２５ｍｍを、接続し連通させた水槽内装置の水圧管上端部下の排水口から、排水管を通して水を水槽内に送り出すよう配備するとともに、前記駆動ポンプ内の羽根車の回転を逆転させた該羽根車の軸は、駆動ポンプ前面のＶプーリーを回転させてなり、  
前記オルタネーターは、ボックス前部左中央の第４収納庫に備え、前記バッテリー対応のものとし、駆動ポンプのＶプーリーと、ボックス前面のオルタネーターのＶプーリーとをＶベルトで連結連動させ、オルタネーターのＶプーリー軸の回転でオルタネーター内の電磁石を磁化させ発電をし、該発電したＡＣ１００Ｖの電力を、コンバーターを介してバッテリーに送電し、一方の、小型インバーターにも、コンバーターを介して送電してなり、
前記コンバーターは、第１収納庫に備えたインバーターの右横に隣接して備え、オルタネーターで発電した電力ＡＣ１００Ｖは、周波数、電圧、電流などが安定しないので、一旦直流ＤＣ１２Ｖの電力に変換しバッテリー、及び小型インバーターへ送電するとし、
更に、オルタネーターは、必要な電力以外の消費機器を使用しないで、バッテリーの容
量が満充電になれば、自動的に調節しオルタネーターからコンバーターを介して直結したバッテリーに電気が流れなくなり、該電気の流れが停止してもオルタネーターは常に回り続けていることから、一方のコンバーターから小型インバーターを介してＡＣ１００Ｖに変換し連携している、自動電動ポンプスイッチに電気が流れなくなりスイッチが切られ、インバーターから電動ポンプに送電している間に備えた、該自動電動ポンプスイッチが切られたことで電動ポンプの可動が停止し、駆動ボンプ、及びオルタネーターの回転も停止することから、バッテリーからの電気を節電をしている、
また、インバーターからの消費機器の放電により、バッテリーからインバーターに電気が流れると、バッテリーからインバーターを介して連携している自動電動ポンプスイッチに電気が流れ自動電動ポンプスイッチが入り、インバーターと電動ポンプが接続され前記電動ポンプを可動させ、駆動ポンプ、及びオルタネーターが回転をして発電しＡＣ１００Ｖの電力を、一旦、コンバーターへ送電されＤＣ１２Ｖの電圧に変換して、バッテリー及び小型インバーターに送電し、該バッテリーで充電する、一方の小型インバーターからもＡＣ１００Ｖ変換して、該自動電動ポンプスイッチに送電しスイッチを入れた状態にすることを構成とし、
電源スイッチを押すことで水槽内の水を循環させ発電することを特徴とする水圧管発電装置。  
【手続補正２】
【補正対象書類名】明細書
【補正対象項目名】０００８
【補正方法】変更
【補正の内容】
【０００８】
本発明は、バッテリー、インバーター、コンバーターに、駆動手段の、電動ポンプ、駆動ポンプ、オルタネーターを、ボックス前部の区画した収納庫に配備し、ボックス後部に、水槽を備えて水槽内装置を設け、これにケースを被せて装備し、ケースに、開口部、換気口を設け、左側面の下に、外部電源プラグを配備した水圧管発電装置において、前記水槽内装置は、水槽内隔壁に配備し，該水槽内隔壁の右下部に給水口口径：３０ｍｍを設け、給水管でボックス前部の電動ポンプの吸込み口に、隔壁を介して接続し、該給水口の上に、コ字状の水圧に耐えるよう管の肉厚を厚くした水圧管下端部口径：３０ｍｍを取り付け、電動ポンプの吐出し口に、隔壁を介して接続し、更に水圧管上端部口径：２５ｍｍを、水槽内の中央部を斜めにして、水圧を強めるため水圧管下端部の口径より小さくし、水槽内隔壁の左上部に取り付け、ボックス前部の駆動ポンプの吐出し口に、隔壁を介して接続し、排水口は、口径：２５ｍｍを水圧管上端部の下に設け、排水管でボックス前部の駆動ポンプの吸込み口に、隔壁を介して接続したものからなり、また、水槽内装置と各機材は一律に大きなものに変えることができる、前記バッテリーは、ボックス前部下の第５収納庫に備え、容量ＤＣ１２Ｖの１００Ａｈに予め充電して置き、動力源として前記インバーターと直結し、更にオルタネーターから発電された電力を蓄電することからなり、前記インバーターは、ボックス前部の第１収納庫に備え、バッテリーからの直流ＤＣ１２Ｖの電力を、電圧・電流・周波数の可変の交流ＡＣ１００Ｖの電力に変換する装置を内蔵し、電源電圧：ＤＣ１２Ｖ、出力電圧：ＡＣ１００Ｖ、定格出力：１５００Ｗ、回路保護：入力定電圧警報音、短絡遮断、など機能があり、インバーターの正面に操作盤を有し、電源スイッチ、充電点灯ランプ、外部電源スイッチを備え、その下に、電源コンセントを配備し、電源スイッチは電動ポンプ及び電源コンセントへの送電用とし、充電点灯ランプは、電動ポンプの可動とともに点灯し、可動が停止すると消灯とし、外部電源スイッチは、バッテリーが上がった際にケース左側面の外部電源プラグから、電源を切り替えて電動ポンプ及び電源コンセントに送電するよう配設したものとし、必要な電力以外は余電力として使用し得る事を可能にして、また電力の放電による過負荷時を超える消費機器を使用すると、警告のため自動的に電源を遮断することから、定格出力を超えない消費機器を使用することとした構造のものを備えてなり、前記電動ポンプを、ボックス前部の第２収納庫に備え、電気をバッテリーからインバーターを介して送電し、定格消費電力：３００Wの電動ポンプを可動し、該電動ポンプの回転で、電動ポンプの吸込み口口径：３０ｍｍを接続したボックス後部の前記水槽内装置の給水口から水槽内の水を吸込み、更に吐出し口口径：３０ｍｍを接続し連通させた水槽内装置の水圧管下端部から、水を水圧管に吐出して送る構成とし、
前記駆動ポンプは、ボックス前部の第３収納庫に備え、吐出し口の口径：２５ｍｍを、接続し連通したボックス後部の水槽内装置の水圧管上端部から、水圧管からの圧力ある水を送り込み、駆動ポンプ内の羽根車を逆転させ、回転をオルタネーターの右回転に対応し、また回転を容易にし、回転速度はオルタネーターの回転力で下がるが充分であり、更に駆動ポンプの吸込み口口径：２５ｍｍを、接続し連通させた水槽内装置の水圧管上端部下の排水口から、排水管を通して水を水槽内に送り出すよう配備するとともに、前記駆動ポンプ内の羽根車の回転を逆転させた該羽根車の軸は、駆動ポンプ前面のＶプーリーを回転させてなり、前記オルタネーターは、ボックス前部左中央の第４収納庫に備え、前記バッテリー対応のものとし、駆動ポンプのＶプーリーと、ボックス前面のオルタネーターのＶプーリーとをＶベルトで連結連動させ、オルタネーターのＶプーリー軸の回転でオルタネーター内の電磁石を磁化させ発電をし、該発電したＡＣ１００Ｖの電力を、コンバーターを介してバッテリーに送電し、一方の、小型インバーターにも、コンバーターを介して送電してなり、前記コンバーターは、第１収納庫に備えたインバーターの右横に隣接して備え、オルタネーターで発電した電力ＡＣ１００Ｖは、周波数、電圧、電流などが安定しないので、一旦直流ＤＣ１２Ｖの電力に変換しバッテリー、及び小型インバーターへ送電するとし、更に、オルタネーターは、必要な電力以外の消費機器を使用しないで、バッテリーの容量が満充電になれば、自動的に調節しオルタネーターからコンバーターを介して直結したバッテリーに電気が流れなくし、該電気の流れが停止してもオルタネーターは常に回り続けていることから、一方のコンバーターから小型インバーターを介してＡＣ１００Ｖに変換し連携している、自動電動ポンプスイッチに電気が流れなくなりスイッチが切られ、インバーターから電動ポンプに送電している間に備えた、該自動電動ポンプスイッチが切られたことで電動ポンプの可動が停止し、駆動ボンプ、及びオルタネーターの回転も停止することから、バッテリーからの電気を節電をしている、また、インバーターからの消費機器の放電により、バッテリーからインバーターに電気が流れると、バッテリーからインバーターを介して連携している自動電動ポンプスイッチに電気が流れ自動電動ポンプスイッチが入り、インバーターと電動ポンプが接続され前記電動ポンプを可動させ、駆動ポンプ、及びオルタネーターが回転をして発電しＡＣ１００Ｖの電力を、一旦、コンバーターへ送電されＤＣ１２Ｖの電圧に変換して、バッテリー及び小型インバーターに送電し、該バッテリーで充電する、一方の小型インバーターからもＡＣ１００Ｖ変換して、該自動電動ポンプスイッチに送電しスイッチを入れた状態にすることを構成とし、電源スイッチを押すことで水槽内の水を循環させ発電することを特徴とする水圧管発電装置を、課題を解決するための手段とする。
【手続補正３】
【補正対象書類名】明細書
【補正対象項目名】００３２
【補正方法】変更
【補正の内容】
【００３２】
このとき、図2、図5及び図7に示すように、駆動ポンプ２６の吸込み口２６ａに圧力のある水を送込み羽根車を回転させた軸は、駆動ポンプ２６の前面のＶプーリー２７を回転させ、さらに、連携している第４収納庫２９のオルタネーター３０のＶプーリー２７を回転させる。また、オルタネーター３０の回転数を増すため、駆動ポンプ２６のＶプーリー２７の径を少し大きくし、オルタネーター３０のＶプーリー２７とＶベルト２７ａによって連動しオルタネーター３０を回転させ、該オルタネーター３０内の電磁石を磁化させ発電をし。また、オルタネーター３０は、充電するバッテリー３２の容量１００Ａｈに対応のものである。
【手続補正４】
【補正対象書類名】明細書
【補正対象項目名】００３４
【補正方法】変更
【補正の内容】
【００３４】
インバーター１７から交流の電力を電動ポンプ２０に送電し可動させ、必要な電力以外は余電力として電源コンセント５ａから利用し、また、余電力として使用しないでバッテリー３２が満充電になれば、オルタネーター３０は充電する電気量を自動的に調節し、オルタネーター３０からコンバーター１８を介して直結したバッテリー３２への電気の流れを止める。このとき、操作盤４の充電点灯ランプ５ｂが消えるとともに、オルタネーター３０とバッテリー３２の間に備えたコンバーター１８から小型インバーター１７ａを介してＡＣ１００Ｖに変換し連携している自動電動ポンプスイッチ５ｃにも電気が流れなくなり自動電動ポンプスイッチ５ｃが切られ、インバーター１７から自動電動ポンプスイッチ５ｃを介して連携して備えている電動ポンプ２０の可動を停止し、水槽内装置１２を介して連携している駆動ポンプ２６及びオルタネーター３０の回転も停止することから、バッテリーからの電気を節電している。
【手続補正５】
【補正対象書類名】明細書
【補正対象項目名】００４０
【補正方法】変更
【補正の内容】
【００４０】
以上、説明した本発明に係る水圧管発電装置１によれば、水槽８の水槽内装置１２を組み込むことで、電源スイッチ５のボタンを押すだけで発電をして、定格出力１５００Ｗまでの、発電をする為の電動ポンプ２０の消費電力３００Ｗに余電力として電源コンセント５ａからの消費機器のものを使用することができる。また、定格消費電力１５００Ｗ以上のものを使用すると、電源スイッチ５の押しボタンが戻りボタンの点灯ランプが消え自動的に電源を遮断することから、安全面からも危険を解消することができる。
【手続補正書】
【提出日】平成28年8月22日(2016.8.22)
【手続補正１】
【補正対象書類名】特許請求の範囲
【補正対象項目名】全文
【補正方法】変更
【補正の内容】
【特許請求の範囲】
【請求項１】
バッテリー、インバーター、コンバーターに、駆動手段の、電動ポンプ、駆動ポンプ、オルタネーターを、ボックス前部の区画した収納庫に配備し、ボックス後部に、水槽を備えて水槽内装置を設け、これにケースを被せて装備し、ケースに、開口部、換気口を設け、左側面の下に、外部電源プラグを配備した水圧管発電装置において、
前記水槽内装置は、水槽内隔壁に配備し，該水槽内隔壁の右下部に給水口口径：３０ｍｍを設け、給水管でボックス前部の電動ポンプの吸込み口に、隔壁を介して接続し、該給水口の上に、コ字状の水圧に耐えるよう管の肉厚を厚くした水圧管下端部口径：３０ｍｍを取り付け、電動ポンプの吐出し口に、隔壁を介して接続し、更に水圧管上端部口径：２５ｍｍを、水槽内の中央部を斜めにして、水圧を強めるため水圧管下端部の口径より小さくし、水槽内隔壁の左上部に取り付け、ボックス前部の駆動ポンプの吐出し口に、隔壁を介して接続し、排水口は、口径：２５ｍｍを水圧管上端部の下に設け、排水管でボックス前部の駆動ポンプの吸込み口に、隔壁を介して接続したものからなり、また、水槽内装置と各機材は一律に大きなものに変えることができる、
前記バッテリーは、ボックス前部下の第５収納庫に備え、容量ＤＣ１２Ｖの１００Ａｈに予め充電して置き、動力源として前記インバーターと直結し、更にオルタネーターから発電された電力を蓄電することからなり、
前記インバーターは、ボックス前部の第１収納庫に備え、バッテリーからの直流ＤＣ１２Ｖの電力を、電圧・電流・周波数の可変の交流ＡＣ１００Ｖの電力に変換する装置を内蔵し、電源電圧：ＤＣ１２Ｖ、出力電圧：ＡＣ１００Ｖ、定格出力：１５００Ｗ、回路保護：入力定電圧警報音、短絡遮断、など機能があり、
インバーターの正面に操作盤を有し、電源スイッチ、充電点灯ランプ、外部電源スイッチを備え、その下に、電源コンセントを配備し、電源スイッチは電動ポンプ及び電源コンセントへの送電用とし、充電点灯ランプは、電動ポンプの可動とともに点灯し、可動が停止すると消灯とし、外部電源スイッチは、バッテリーが上がった際にケース左側面の外部電源プラグから、電源を切り替えて電動ポンプ及び電源コンセントに送電するよう配設したものとし、必要な電力以外は余電力として使用し得る事を可能にして、また電力の放電による過負荷時を超える消費機器を使用すると、警告のため自動的に電源を遮断することから、定格出力を超えない消費機器を使用することとした構造のものを備えてなり、
前記電動ポンプを、ボックス前部の第２収納庫に備え、電気をバッテリーからインバーターを介して送電し、定格消費電力：３００Ｗの電動ポンプを可動し、該電動ポンプの回転で、電動ポンプの吸込み口口径：３０ｍｍを接続したボックス後部の前記水槽内装置の給水口から水槽内の水を吸込み、更に吐出し口口径：３０ｍｍを接続し連通させた水槽内装置の水圧管下端部から、水を水圧管に吐出して送る構成とし、
前記駆動ポンプは、ボックス前部の第３収納庫に備え、吐出し口の口径：２５ｍｍを、接続し連通したボックス後部の水槽内装置の水圧管上端部から、水圧管からの圧力ある水を送り込み、駆動ポンプ内の羽根車を逆転させ、回転をオルタネーターの右回転に対応し、また回転を容易にし、回転速度はオルタネーターの回転力で下がるが充分であり、更に駆動ポンプの吸込み口口径：２５ｍｍを、接続し連通させた水槽内装置の水圧管上端部下の排水口から、排水管を通して水を水槽内に送り出すよう配備するとともに、前記駆動ポンプ内の羽根車の回転を逆転させた該羽根車の軸は、駆動ポンプ前面のＶプーリーを回転させてなり、  
前記オルタネーターは、ボックス前部左中央の第４収納庫に備え、前記バッテリー対応のものとし、駆動ポンプのＶプーリーと、ボックス前面のオルタネーターのＶプーリーとをＶベルトで連結連動させ、オルタネーターのＶプーリー軸の回転でオルタネーター内の電磁石を磁化させ発電をし、該発電したＡＣ１００Ｖの電力を、コンバーターを介してバッテリーに送電し、一方の、小型インバーターにも、コンバーターを介して送電してなり、
前記コンバーターは、第１収納庫に備えたインバーターの右横に隣接して備え、オルタネーターで発電した電力ＡＣ１００Ｖは、周波数、電圧、電流などが安定しないので、一旦直流ＤＣ１２Ｖの電力に変換しバッテリー、及び小型インバーターへ送電するとし、
更に、オルタネーターは、必要な電力以外の消費機器を使用しないで、バッテリーの容
量が満充電になれば、自動的に調節しオルタネーターからコンバーターを介して直結したバッテリーに電気が流れなくなり、該電気の流れが停止してもオルタネーターは常に回り続けていることから、一方のコンバーターから小型インバーターを介してＡＣ１００Ｖに変換し連携している、自動電動ポンプスイッチに電気が流れなくなりスイッチが切られ、インバーターから電動ポンプに送電している間に備えた、該自動電動ポンプスイッチが切られたことで電動ポンプの可動が停止し、駆動ボンプ、及びオルタネーターの回転も停止することから、バッテリーからの電気を節電をしている、
また、インバーターからの消費機器の放電により、バッテリーからインバーターに電気が流れると、バッテリーからインバーターを介して連携している自動電動ポンプスイッチに電気が流れ自動電動ポンプスイッチが入り、インバーターと電動ポンプが接続され前記電動ポンプを可動させ、駆動ポンプ、及びオルタネーターが回転をして発電しＡＣ１００Ｖの電力を、一旦、コンバーターへ送電されＤＣ１２Ｖの電圧に変換して、バッテリー及び小型インバーターに送電し、該バッテリーで充電する、一方の小型インバーターからもＡＣ１００Ｖに変換して、該自動電動ポンプスイッチに送電しスイッチを入れた状態にすることを構成とし、
電源スイッチを押すことで水槽内の水を循環させ発電することを特徴とする水圧管発電装置。  
【手続補正２】
【補正対象書類名】明細書
【補正対象項目名】０００８
【補正方法】変更
【補正の内容】
【０００８】
本発明は、バッテリー、インバーター、コンバーターに、駆動手段の、電動ポンプ、駆動ポンプ、オルタネーターを、ボックス前部の区画した収納庫に配備し、ボックス後部に、水槽を備えて水槽内装置を設け、これにケースを被せて装備し、ケースに、開口部、換気口を設け、左側面の下に、外部電源プラグを配備した水圧管発電装置において、前記水槽内装置は、水槽内隔壁に配備し，該水槽内隔壁の右下部に給水口口径：３０ｍｍを設け、給水管でボックス前部の電動ポンプの吸込み口に、隔壁を介して接続し、該給水口の上に、コ字状の水圧に耐えるよう管の肉厚を厚くした水圧管下端部口径：３０ｍｍを取り付け、電動ポンプの吐出し口に、隔壁を介して接続し、更に水圧管上端部口径：２５ｍｍを、水槽内の中央部を斜めにして、水圧を強めるため水圧管下端部の口径より小さくし、水槽内隔壁の左上部に取り付け、ボックス前部の駆動ポンプの吐出し口に、隔壁を介して接続し、排水口は、口径：２５ｍｍを水圧管上端部の下に設け、排水管でボックス前部の駆動ポンプの吸込み口に、隔壁を介して接続したものからなり、また、水槽内装置と各機材は一律に大きなものに変えることができる、前記バッテリーは、ボックス前部下の第５収納庫に備え、容量ＤＣ１２Ｖの１００Ａｈに予め充電して置き、動力源として前記インバーターと直結し、更にオルタネーターから発電された電力を蓄電することからなり、前記インバーターは、ボックス前部の第１収納庫に備え、バッテリーからの直流ＤＣ１２Ｖの電力を、電圧・電流・周波数の可変の交流ＡＣ１００Ｖの電力に変換する装置を内蔵し、電源電圧：ＤＣ１２Ｖ、出力電圧：ＡＣ１００Ｖ、定格出力：１５００Ｗ、回路保護：入力定電圧警報音、短絡遮断、など機能があり、インバーターの正面に操作盤を有し、電源スイッチ、充電点灯ランプ、外部電源スイッチを備え、その下に、電源コンセントを配備し、電源スイッチは電動ポンプ及び電源コンセントへの送電用とし、充電点灯ランプは、電動ポンプの可動とともに点灯し、可動が停止すると消灯とし、外部電源スイッチは、バッテリーが上がった際にケース左側面の外部電源プラグから、電源を切り替えて電動ポンプ及び電源コンセントに送電するよう配設したものとし、必要な電力以外は余電力として使用し得る事を可能にして、また電力の放電による過負荷時を超える消費機器を使用すると、警告のため自動的に電源を遮断することから、定格出力を超えない消費機器を使用することとした構造のものを備えてなり、前記電動ポンプを、ボックス前部の第２収納庫に備え、電気をバッテリーからインバーターを介して送電し、定格消費電力：３００Ｗの電動ポンプを可動し、該電動ポンプの回転で、電動ポンプの吸込み口口径：３０ｍｍを接続したボックス後部の前記水槽内装置の給水口から水槽内の水を吸込み、更に吐出し口口径：３０ｍｍを接続し連通させた水槽内装置の水圧管下端部から、水を水圧管に吐出して送る構成とし、
前記駆動ポンプは、ボックス前部の第３収納庫に備え、吐出し口の口径：２５ｍｍを、接続し連通したボックス後部の水槽内装置の水圧管上端部から、水圧管からの圧力ある水を送り込み、駆動ポンプ内の羽根車を逆転させ、回転をオルタネーターの右回転に対応し、また回転を容易にし、回転速度はオルタネーターの回転力で下がるが充分であり、更に駆動ポンプの吸込み口口径：２５ｍｍを、接続し連通させた水槽内装置の水圧管上端部下の排水口から、排水管を通して水を水槽内に送り出すよう配備するとともに、前記駆動ポンプ内の羽根車の回転を逆転させた該羽根車の軸は、駆動ポンプ前面のＶプーリーを回転させてなり、前記オルタネーターは、ボックス前部左中央の第４収納庫に備え、前記バッテリー対応のものとし、駆動ポンプのＶプーリーと、ボックス前面のオルタネーターのＶプーリーとをＶベルトで連結連動させ、オルタネーターのＶプーリー軸の回転でオルタネーター内の電磁石を磁化させ発電をし、該発電したＡＣ１００Ｖの電力を、コンバーターを介してバッテリーに送電し、一方の、小型インバーターにも、コンバーターを介して送電してなり、前記コンバーターは、第１収納庫に備えたインバーターの右横に隣接して備え、オルタネーターで発電した電力ＡＣ１００Ｖは、周波数、電圧、電流などが安定しないので、一旦直流ＤＣ１２Ｖの電力に変換しバッテリー、及び小型インバーターへ送電するとし、更に、オルタネーターは、必要な電力以外の消費機器を使用しないで、バッテリーの容量が満充電になれば、自動的に調節しオルタネーターからコンバーターを介して直結したバッテリーに電気が流れなくし、該電気の流れが停止してもオルタネーターは常に回り続けていることから、一方のコンバーターから小型インバーターを介してＡＣ１００Ｖに変換し連携している、自動電動ポンプスイッチに電気が流れなくなりスイッチが切られ、インバーターから電動ポンプに送電している間に備えた、該自動電動ポンプスイッチが切られたことで電動ポンプの可動が停止し、駆動ボンプ、及びオルタネーターの回転も停止することから、バッテリーからの電気を節電をしている、また、インバーターからの消費機器の放電により、バッテリーからインバーターに電気が流れると、バッテリーからインバーターを介して連携している自動電動ポンプスイッチに電気が流れ自動電動ポンプスイッチが入り、インバーターと電動ポンプが接続され前記電動ポンプを可動させ、駆動ポンプ、及びオルタネーターが回転をして発電しＡＣ１００Ｖの電力を、一旦、コンバーターへ送電されＤＣ１２Ｖの電圧に変換して、バッテリー及び小型インバーターに送電し、該バッテリーで充電する、一方の小型インバーターからもＡＣ１００Ｖに変換して、該自動電動ポンプスイッチに送電しスイッチを入れた状態にすることを構成とし、電源スイッチを押すことで水槽内の水を循環させ発電することを特徴とする水圧管発電装置を、課題を解決するための手段とする。
【手続補正３】
【補正対象書類名】明細書
【補正対象項目名】００３４
【補正方法】変更
【補正の内容】
【００３４】
インバーター１７から交流の電力を電動ポンプ２０に送電し可動させ、必要な電力以外は余電力として電源コンセント５ａから利用し、また、余電力として使用しないでバッテリー３２が満充電になれば、オルタネーター３０は自動的に調節し、オルタネーター３０からコンバーター１８を介して直結したバッテリー３２への電気の流れを止める。このとき、操作盤４の充電点灯ランプ５ｂが消えるとともに、オルタネーター３０とバッテリー３２の間に備えたコンバーター１８から小型インバーター１７ａを介してＡＣ１００Ｖに変換し連携している自動電動ポンプスイッチ５ｃにも電気が流れなくなり自動電動ポンプスイッチ５ｃが切られ、インバーター１７から自動電動ポンプスイッチ５ｃを介して連携して備えている電動ポンプ２０の可動を停止し、水槽内装置１２を介して連携している駆動ポンプ２６及びオルタネーター３０の回転も停止することから、バッテリーからの電気を節電している。